(57)【要約】マネジメント部（１００）が、建物に設けられたエネルギーを消費する機器に関する制御情報であって、建物における制御要求を満たすための制御情報を取得するデマンド計画生成部（１０６）と、機器が映し出された画像データを取得する取得部（１０２ｘ）と、取得部（１０２ｘ）が取得した画像データを保持する画像データ保持部（１０２ｙ）と、指定された制御モードに基づいて、画像データ保持部（１０２ｙ）が保持している画像データを含む選択候補の中から提示画像データを選択する選択部（１０２ｚ）と、選択部（１０２ｚ）で選択された提示画像データに映し出された機器のそれぞれに対応する制御情報を利用者に提示するための提示データを生成し、提示画像データにおける機器の位置の近傍に、提示データを重畳する画像処理部（１０７ｘ）と、提示データが重畳された提示画像データを表示する出力部（１０８）とを備える。
2013128934.tif 000002
【特許請求の範囲】
【請求項１】
建物に設けられたエネルギーを消費する機器に関する制御情報であって、前記建物における制御要求を満たすための制御情報を取得する第１の取得部と、
前記機器が映し出された画像データを取得する第２の取得部と、
前記第２の取得部が取得した前記画像データを保持する画像データ保持部と、
指定された制御モードに基づいて、前記画像データ保持部が保持している前記画像データを含む選択候補の中から提示画像データを選択する選択部と、
前記選択部で選択された前記提示画像データに映し出された前記機器のそれぞれに対応する前記制御情報を利用者に提示するための提示データを生成し、前記提示画像データにおける前記機器の位置の近傍に、前記提示データを重畳する画像処理部と、
前記提示データが重畳された前記提示画像データを表示する表示部と、を
備える制御情報表示装置。
【請求項２】
前記第２の取得部は、
画像データの撮影位置を示す撮影位置情報を当該画像データの属性情報として有する画像データを、前記画像データを取得し、
前記選択部は、
前記撮影位置情報が示す前記撮影位置が、前記制御情報表示装置の存在位置に、より近い前記選択候補を前記提示画像データとして選択する
請求項１に記載の制御情報表示装置。
【請求項３】
前記制御情報表示装置は、さらに、
通信ネットワークを介して前記機器を制御する制御部と、
前記機器のうちの被制御機器に対する制御指示を受け付ける入力部と、
前記入力部が受け付けた制御指示を前記制御部へ送信するリモコンアプリケーションと、を備え、
前記制御部は、
前記リモコンアプリケーションから受信した前記制御指示に基づいて、前記被制御機器を制御する
請求項１又は２に記載の制御情報表示装置。
【請求項４】
前記画像処理部は、
前記提示画像データに映し出された前記被制御機器に対応する前記リモコンアプリケーションの活性化ボタンを、前記提示画像データにおける前記被制御機器の位置の近傍に重畳し、
前記リモコンアプリケーションの活性化ボタンが押下された場合に、前記リモコンアプリケーションが前記入力部から受け付けた前記制御指示を前記制御部へ送信し、前記制御部が前記被制御機器を制御する
請求項３に記載の制御情報表示装置。
【請求項５】
前記第２の取得部は、さらに、
前記機器が映し出された動画像データを取得し、
前記選択部は、
前記動画像データと、前記画像データ保持部が保持している前記画像データとを含む前記選択候補の中から前記提示画像データを選択する
請求項１〜４のいずれか１項に記載の制御情報表示装置。
【請求項６】
前記制御情報表示装置は、さらに、
前記機器それぞれのエネルギー消費量の実績値を取得する第３の取得部と、
前記機器の中で、前記提示データを前記利用者に提示する所定の数Ｍ（Ｍは整数）以下の機器を判定する提示要否判定部と、を備え、
前記提示要否判定部は、前記提示画像データに映し出されている前記機器の中で、前記制御情報に基づく制御を実施した場合のエネルギー消費量の推定値と、前記エネルギー消費量の実績値との差分が大きい機器ほど優先して前記所定の数Ｍ以下の機器として判定し、
前記画像処理部は、前記提示データを前記利用者に提示すると判定された機器について前記提示データを前記提示画像データに重畳する
請求項１〜５のいずれか１項に記載の制御情報表示装置。
【請求項７】
前記制御情報表示装置は、
前記第１の取得部で取得した前記制御情報に基づいて、前記機器の中で通信ネットワークを介して制御可能な機器を制御する制御部を備え、
前記提示要否判定部は、
前記機器の中で、前記通信ネットワークを介して制御可能な機器よりも、前記通信ネットワークを介して制御不可能な機器を優先して前記所定の数Ｍ以下の機器として判定する
請求項６に記載の制御情報表示装置。
【請求項８】
前記画像処理部は、前記提示データとして、詳細な情報が含まれる詳細提示データと簡易な情報が含まれる簡易提示データとを生成し、
前記提示要否判定部は、前記所定の数Ｍ以下の機器を判定する際に、
前記画像データに映し出されている前記機器の中で、前記制御情報に基づく制御を実施した場合のエネルギー消費量の推定値と、前記エネルギー消費量の実績値との差分が大きい機器ほど優先して前記詳細提示データを提示する所定の数Ｍｄ（Ｍｄは、Ｍｄ≦Ｍを満たす整数）以下の機器として判定し、
さらに、前記詳細提示データを提示する前記所定の数Ｍｄ以下の機器として判定されていない機器の中で、前記エネルギー消費量の推定値と、前記エネルギー消費量の実績値との差分が大きい機器ほど優先して前記簡易提示データを提示する所定の数（Ｍ−Ｍｄ）以下の機器として判定する
請求項６に記載の制御情報表示装置。
【請求項９】
前記第１の取得部は、前記制御要求を、電力会社または公共機関からネットワークを介して受信する、
請求項１〜８のいずれか１項に記載の制御情報表示装置。
【請求項１０】
前記表示部は、画面を有し、
前記提示要否判定部は、前記画面のサイズに応じて前記所定の数Ｍを決定する
請求項６に記載の制御情報表示装置。
【請求項１１】
前記制御情報表示装置は、
前記利用者からの指示を受け付ける操作部を備え、
前記提示要否判定部は、前記操作部で指定された数に、前記所定の数Ｍを決定する
請求項６に記載の制御情報表示装置。
【請求項１２】
前記制御情報表示装置は、携帯電話、スマートフォン、或いは、テレビである、
請求項１〜１１のいずれか１項に記載の制御情報表示装置。
【請求項１３】
前記第１の取得部は、
複数の前記機器それぞれに関する前記制御情報を取得し、
前記第２の取得部は、
複数の前記機器が映し出された画像データを、前記画像データとして取得し、
前記画像処理部は、
複数の前記機器のうちの少なくとも１つの機器に対する前記制御情報を提示するための少なくとも１つの前記提示データを生成し、前記提示画像データにおける位置が特定された前記少なくとも１つの機器に対応させて少なくとも１つの前記提示データを前記提示画像データに重畳する、
請求項１に記載の制御情報表示装置。
【請求項１４】
前記制御情報表示装置は、さらに、
前記提示画像データに映し出されている前記機器の中で、前記制御情報に基づく制御を実施した場合のエネルギー消費量の推定値と、前記エネルギー消費量の実績値との差分がより大きい機器の前記制御情報を提示するための前記提示データに、より大きな提示優先度を設定する提示優先度判定部を備え、
前記画像処理部は、
前記提示優先度判定部が設定した前記提示優先度がより大きい前記提示データを、前記表示部がより大きく表示するように、前記提示データを重畳する
請求項１〜１３のいずれか１項に記載の制御情報表示装置。
【請求項１５】
前記制御要求は、前記建物におけるエネルギーの消費量に関する制御要求を含む
請求項１〜１４のいずれか１項に記載の制御情報表示装置。
【請求項１６】
前記制御要求は、前記建物における少なくとも温度、湿度または照度を含む室内環境パラメータに関する制御要求を含む
請求項１〜１５のいずれか１項に記載の制御情報表示装置。
【請求項１７】
前記制御要求は、前記建物における室内空気質に関する制御要求を含む
請求項１〜１６のいずれか１項に記載の制御情報表示装置。
【請求項１８】
前記第２の取得部は、
前記機器の識別情報と当該画像データにおける前記機器の位置とを特定する特定情報とが付加された画像データを、前記画像データとして取得し、
前記画像処理部は、
前記特定情報によって特定された前記提示画像データにおける前記機器の位置の近傍に、前記提示データを重畳する
請求項１〜１７のいずれか１項に記載の制御情報表示装置。
【請求項１９】
建物におけるエネルギーの消費量に関する制御要求を取得する第１の取得部と、
前記建物に設けられたエネルギーを消費する機器が映し出された画像データであって、前記機器それぞれの特定情報が付加された画像データを取得する第２の取得部と、
前記機器それぞれのエネルギー消費量の実績値を取得する第３の取得部と、
前記機器それぞれのエネルギー消費量の実績値に基づいて、前記制御要求を満たすための制御情報を前記機器それぞれについて生成する制御情報生成部と、
前記画像データに映し出された機器のうちの少なくとも１つの機器の前記制御情報を提示するための少なくとも１つの提示データを生成し、前記特定情報によって特定される前記少なくとも１つの機器に対応させて前記少なくとも１つの提示データを前記画像データに重畳する画像処理部と、
前記少なくとも１つの提示データが重畳された前記画像データを表示する表示部と、を
備える制御情報表示装置。
【請求項２０】
建物に設けられたエネルギーを消費する機器に関する制御情報であって、前記建物における制御要求を満たすための制御情報を取得する第１の取得ステップと、
前記機器が映し出された画像データを取得する第２の取得ステップと、
前記第２の取得ステップで取得した前記画像データを保持する画像データ保持ステップと、
指定された制御モードに基づいて、前記画像データ保持ステップで保持した前記画像データを含む選択候補の中から提示画像データを選択する選択ステップと、
前記選択ステップで選択された前記提示画像データに映し出された前記機器のそれぞれに対応する前記制御情報を利用者に提示するための提示データを生成し、前記提示画像データにおける前記機器の位置の近傍に、前記提示データを重畳する画像処理ステップと、
前記提示データが重畳された前記提示画像データを表示する表示ステップと、を
含む制御情報表示方法。
【請求項２１】
建物に設けられたエネルギーを消費する機器と、制御情報表示装置とを備える制御情報表示システムであって、
前記制御情報表示装置は、
建物に設けられたエネルギーを消費する機器に関する制御情報であって、前記建物における制御要求を満たすための制御情報を取得する第１の取得部と、
前記機器が映し出された画像データを取得する第２の取得部と、
前記第２の取得部が取得した前記画像データを保持する画像データ保持部と、
指定された制御モードに基づいて、前記画像データ保持部が保持している前記画像データを含む選択候補の中から提示画像データを選択する選択部と、
前記選択部で選択された前記提示画像データに映し出された前記機器のそれぞれに対応する前記制御情報を利用者に提示するための提示データを生成し、前記提示画像データにおける前記機器の位置の近傍に、前記提示データを重畳する画像処理部と、
前記提示データが重畳された前記提示画像データを表示する表示部と、を備える
制御情報表示システム。
【発明の詳細な説明】
【技術分野】
【０００１】
本発明は、制御情報表示装置、制御情報表示方法、および、制御情報表示システムに関する。
【背景技術】
【０００２】
コントローラが各機器と通信をしてエネルギーの使用状況を収集し、各機器のエネルギーの使用の適正度を利用者に提示するシステム（例えば、特許文献１参照）も提案されている（特許文献１参照）
【先行技術文献】
【特許文献】
【０００３】
【特許文献１】特許第３８８８９０６号公報
【特許文献２】国際公開第２０１１／０５２６９６号
【発明の概要】
【発明が解決しようとする課題】
【０００４】
しかしながら、建物における制御要求を満たすための制御要求が提示された場合に、具体的に、どの機器に対して、どのように制御を行えば、提示された制御要求を達成することができるかを、利用者は知ることができない。【０００５】
そこで、本発明は、提示された制御要求を達成するのに必要な制御情報を利用者に提示する制御情報表示装置を提供する。
【課題を解決するための手段】
【０００６】
上記従来の課題を解決するために、本発明の一態様に係る制御情報表示装置は、建物に設けられたエネルギーを消費する機器に関する制御情報であって、前記建物における制御要求を満たすための制御情報を取得する第１の取得部と、前記機器が映し出された画像データを取得する第２の取得部と、前記第２の取得部が取得した前記画像データを保持する画像データ保持部と、指定された制御モードに基づいて、前記画像データ保持部が保持している前記画像データを含む選択候補の中から提示画像データを選択する選択部と、前記選択部で選択された前記提示画像データに映し出された前記機器のそれぞれに対応する前記制御情報を利用者に提示するための提示データを生成し、前記提示画像データにおける前記機器の位置の近傍に、前記提示データを重畳する画像処理部と、前記提示データが重畳された前記提示画像データを表示する表示部と、を備える。【０００７】
なお、これらの包括的または具体的な態様は、システム、方法、集積回路、コンピュータプログラムまたはコンピュータ読み取り可能なＣＤ−ＲＯＭなどの記録媒体で実現されてもよく、システム、方法、集積回路、コンピュータプログラムおよび記録媒体の任意な組み合わせで実現されてもよい。
【発明の効果】
【０００８】
本発明の制御情報表示装置は、提示された制御要求を達成するのに必要な制御情報を利用者に提示することができる。
【図面の簡単な説明】
【０００９】
【図１】図１は、実施の形態１におけるエネルギーマネジメントシステムのシステム構成図である。
【図２】図２は、実施の形態１におけるエネルギーマネジメントシステムの動作説明用のシーケンス図である。
【図３】図３は、実施の形態１におけるエネルギーマネジメントシステムのスマート情報重畳部のブロック図である。
【図４】図４は、実施の形態１における、提示要否判定処理について説明するためのフローチャートである。
【図５】図５は、実施の形態１における、提示データが重畳された画像データが出力部に出力された一例を示す図である。
【図６】図６は、実施の形態２における、提示要否判定処理について説明するためのフローチャートである。
【図７】図７は、実施の形態２における、提示データが重畳された画像データが出力部に出力された一例を示す図である。
【図８】図８は、実施の形態３におけるエネルギーマネジメントシステムのシステム構成図である。
【図９】図９は、実施の形態３におけるエネルギーマネジメントシステムの動作説明用のシーケンス図である。
【図１０】図１０は、実施の形態３における、提示要否判定処理について説明するためのフローチャートである。
【図１１】図１１は、実施の形態３における、提示データが重畳された画像データが出力部に出力された一例を示す図である。
【図１２Ａ】図１２Ａは、実施の形態４における、提示要否判定処理について説明するための第１のフローチャートである。
【図１２Ｂ】図１２Ｂは、実施の形態４における、提示要否判定処理について説明するための第２のフローチャートである。
【図１２Ｃ】図１２Ｃは、実施の形態４における、提示要否判定処理について説明するための第３のフローチャートである。
【図１３】図１３は、実施の形態４における、提示データが重畳された画像データが出力部に出力された一例を示す図である。
【図１４】図１４は、実施の形態５におけるエネルギーマネジメントシステムのシステム構成図である。
【図１５】図１５は、実施の形態５におけるエネルギーマネジメントシステムのスマート情報重畳部のブロック図である。
【図１６】図１６は、実施の形態５におけるエネルギーマネジメントシステムの動作説明用のシーケンス図である。
【図１７Ａ】図１７Ａは、実施の形態５における、提示データが重畳された画像データが出力部に出力された一例を示し、リビングルームを撮影した画像データに切り替えた場合を示す図である。
【図１７Ｂ】図１７Ｂは、実施の形態５における、提示データが重畳された画像データが出力部に出力された一例を示し、寝室１を撮影した画像データに切り替えた場合を示す図である。
【図１７Ｃ】図１７Ｃは、実施の形態５における、提示データが重畳された画像データが出力部に出力された一例を示し、寝室２を撮影した画像データに切り替えた場合を示す図である。
【図１８】図１８は、実施の形態６におけるエネルギーマネジメントシステムのシステム構成図である。
【図１９】図１９は、実施の形態６におけるエネルギーマネジメントシステムのスマート情報重畳部のブロック図である。
【図２０】図２０は、実施の形態６におけるエネルギーマネジメントシステムの動作説明用のシーケンス図である。
【図２１Ａ】図２１Ａは、実施の形態６における、提示データが重畳された画像データが出力部に出力された一例を示し、「プラン１」のデマンド計画を選択した場合を示す図である。
【図２１Ｂ】図２１Ｂは、実施の形態６における、提示データが重畳された画像データが出力部に出力された一例を示し、「プラン２」のデマンド計画を選択した場合を示す図である。
【図２１Ｃ】図２１Ｃは、実施の形態６における、提示データが重畳された画像データが出力部に出力された一例を示し、「プラン３」のデマンド計画を選択した場合を示す図である。
【図２２】図２２は、実施の形態７におけるエネルギーマネジメントシステムのシステム構成図である。
【図２３】図２３は、実施の形態７におけるエネルギーマネジメントシステムのスマート情報重畳部のブロック図である。
【図２４】図２４は、実施の形態７におけるエネルギーマネジメントシステムの動作説明用のシーケンス図である。
【図２５Ａ】図２５Ａは、実施の形態７における、提示データが重畳された画像データが出力部に出力された一例を示し、「プラン１」のデマンド計画を選択した場合を示す図である。
【図２５Ｂ】図２５Ｂは、実施の形態７における、提示データが重畳された画像データが出力部に出力された一例を示し、「プラン２」のデマンド計画を選択した場合を示す図である。
【図２５Ｃ】図２５Ｃは、実施の形態７における、提示データが重畳された画像データが出力部に出力された一例を示し、「プラン３」のデマンド計画を選択した場合を示す図である。
【図２６】図２６は、実施の形態７における、変更されるエネルギー消費機器に関する提示データの提示を優先する場合の提示要否判定処理について説明するためのフローチャートである。
【図２７】図２７は、実施の形態８におけるエネルギーマネジメントシステムのシステム構成図である。
【図２８】図２８は、実施の形態８におけるエネルギーマネジメントシステムの機器コンテンツ部のブロック図である。
【図２９】図２９は、実施の形態８におけるエネルギーマネジメントシステムの動作説明用のシーケンス図である。
【図３０Ａ】図３０Ａは、実施の形態８における、提示データが重畳された画像データが出力部に出力された一例を示し、エネルギー消費機器（エアコン）に機器コンテンツを適用した場合を示す図である。
【図３０Ｂ】図３０Ｂは、実施の形態８における、提示データが重畳された画像データが出力部に出力された一例を示し、エネルギー消費機器（テレビ）に機器コンテンツを適用した場合を示す図である。
【図３０Ｃ】図３０Ｃは、実施の形態８における、提示データが重畳された画像データが出力部に出力された一例を示し、エネルギー消費機器（照明）に機器コンテンツを適用した場合を示す図である。
【図３１】図３１は、実施の形態９におけるエネルギーマネジメントシステムのシステム構成図である。
【図３２】図３２は、実施の形態９におけるエネルギーマネジメントシステムの機器コンテンツ部のブロック図である。
【図３３】図３３は、実施の形態９におけるエネルギーマネジメントシステムの動作説明用のシーケンス図である。
【図３４Ａ】図３４Ａは、実施の形態９における、提示データが重畳された画像データが出力部に出力された一例を示し、エネルギー消費機器（エアコン）の動作に同期して、提示データが重畳された画像データが出力部に出力されている状態を示す模式図である。
【図３４Ｂ】図３４Ｂは、実施の形態９における、提示データが重畳された画像データが出力部に出力された一例を示し、提示データが重畳された画像データの出力部への出力に同期して、エネルギー消費機器（エアコン）が所定の動作を行っている状態を示す模式図である。
【図３５】図３５は、マネジメント部を示す図である。
【発明を実施するための形態】
【００１０】
（本発明の基礎となった知見）
本発明者は、「背景技術」の欄において記載した、エネルギーに関する提示システムについて、以下の問題が生じることを見出した。
【００１１】
ＣＯ２排出量を削減し、地球温暖化を防止する為、世界的に省エネルギー化の取り組みが行われており、例えば、国が企業や家庭に対して、具体的な数値目標を提示して省エネルギー化を推進する動きがある。
【００１２】
また、日本では電力需給の悪化によって、企業や家庭において、電力消費の大幅な削減が求められている。この削減が実現されないと、需要に対して供給が間に合わない為に大停電が起こる可能性があり、社会問題となっている。
【００１３】
それに対して、次の各システムなどが提案されている。つまり、家庭での電力消費を計測してモニタ等に表示することで、利用者に、省エネルギー化を促すシステムが提案されている。また、コントローラが、家の中の機器と通信して、機器の無駄な利用を防止する制御をすることで省エネルギー化を実現するシステムが提案されている。
【００１４】
しかしながら、例えば家庭の消費電力の１５％削減が目標として提示されても、一般家庭においては、まず、どのようにしたら１５％の削減が出来るかが分からないという問題がある。また、各種メディア等を通じて、省エネの為の個々の機器に関する使用方法は紹介されている。しかし、各家庭によって使用している機器の構成が異なる。この為、どの機器に対して、どの方法を、どのように組み合わせれば、１５％の削減が実現出来るのかが分かない。その為、現実には１５％の削減が実現できていなかったり、必要以上に省エネを実施してしまい、著しく快適性を損ねたり、健康を損ねてしまったりする場合がある。
【００１５】
また、コントローラが各機器と通信をしてエネルギーの使用状況を収集し、各機器のエネルギーの使用の適正度を利用者に提示するシステム（例えば、特許文献１参照）も提案されているが、家の中には、通信機能を備えていない機器が数多くある。それらの機器は、適正度の提示の対象とはならない為、結局、１５％の削減がどのようにしたら実現出来るのかが分からないとうことになる。また仮に、その家庭で１５％の削減を実現する為の、各機器の使用方法に関するリストが得られたとしても、そのリスト上の機器に対応する実際の機器を１つ１つ探して、指定された使用方法で使用するといった煩雑な作業が必要となる。
【００１６】
つまり、建物における制御要求を満たすための制御要求が提示された場合に、具体的に、どの機器に対して、どのように制御を行えば、提示された制御要求を達成することができるかを、利用者が知ることができない。
【００１７】
そこで、本発明は、提示された制御要求を達成するのに必要な制御情報を利用者に提示する制御情報表示装置を提供する。
【００１８】
このような問題を解決するために、本発明の一態様に係る制御情報表示装置は、建物に設けられたエネルギーを消費する機器に関する制御情報であって、前記建物における制御要求を満たすための制御情報を取得する第１の取得部（デマンド計画生成部１０６）と、前記機器が映し出された画像データを取得する第２の取得部（カメラ部１０２、機器特定部１０４）と、前記第２の取得部が取得した前記画像データを保持する画像データ保持部と、指定された制御モードに基づいて、前記画像データ保持部が保持している前記画像データを含む選択候補の中から提示画像データを選択する選択部と、前記選択部で選択された前記提示画像データに映し出された前記機器のそれぞれに対応する前記制御情報を利用者に提示するための提示データを生成し、前記提示画像データにおける前記機器の位置の近傍に、前記提示データを重畳する画像処理部（提示データ生成部３０２、重畳処理部３０３）と、前記提示データが重畳された前記提示画像データを表示する表示部と、を備える制御情報表示装置（マネジメント部１００）である。なお、本制御情報表示装置では、カメラ部１０２と、機器特定部１０４とが含まれる取得部１０２ｘがあってもよい。また、提示データ生成部３０２と、重畳処理部３０３とが含まれる画像処理部１０７ｘがあってもよい（図３５）。
【００１９】
例えば、前記第２の取得部は、画像データの撮影位置を示す撮影位置情報を当該画像データの属性情報として有する画像データを、前記画像データを取得し、前記選択部は、前記撮影位置情報が示す前記撮影位置が、前記制御情報表示装置の存在位置に、より近い前記選択候補を前記提示画像データとして選択するとしてもよい。
【００２０】
例えば、前記制御情報表示装置は、さらに、通信ネットワークを介して前記機器を制御する制御部と、前記機器のうちの被制御機器に対する制御指示を受け付ける入力部と、前記入力部が受け付けた制御指示を前記制御部へ送信するリモコンアプリケーションと、を備え、前記制御部は、前記リモコンアプリケーションから受信した前記制御指示に基づいて、前記被制御機器を制御するとしてもよい。
【００２１】
例えば、前記画像処理部は、前記提示画像データに映し出された前記被制御機器に対応する前記リモコンアプリケーションの活性化ボタンを、前記提示画像データにおける前記被制御機器の位置の近傍に重畳し、前記リモコンアプリケーションの活性化ボタンが押下された場合に、前記リモコンアプリケーションが前記入力部から受け付けた前記制御指示を前記制御部へ送信し、前記制御部が前記被制御機器を制御するとしてもよい。
【００２２】
例えば、前記第２の取得部は、さらに、前記機器が映し出された動画像データを取得し、前記選択部は、前記動画像データと、前記画像データ保持部が保持している前記画像データとを含む前記選択候補の中から前記提示画像データを選択するとしてもよい。
【００２３】
例えば、前記制御情報表示装置は、さらに、前記機器それぞれのエネルギー消費量の実績値を取得する第３の取得部と、前記機器の中で、前記提示データを前記利用者に提示する所定の数Ｍ（Ｍは整数）以下の機器を判定する提示要否判定部と、を備え、前記提示要否判定部は、前記提示画像データに映し出されている前記機器の中で、前記制御情報に基づく制御を実施した場合のエネルギー消費量の推定値と、前記エネルギー消費量の実績値との差分が大きい機器ほど優先して前記所定の数Ｍ以下の機器として判定し、前記画像処理部は、前記提示データを前記利用者に提示すると判定された機器について前記提示データを前記提示画像データに重畳するとしてもよい。
【００２４】
例えば、前記制御情報表示装置は、前記第１の取得部で取得した前記制御情報に基づいて、前記機器の中で通信ネットワークを介して制御可能な機器を制御する制御部を備え、前記提示要否判定部は、前記機器の中で、前記通信ネットワークを介して制御可能な機器よりも、前記通信ネットワークを介して制御不可能な機器を優先して前記所定の数Ｍ以下の機器として判定するとしてもよい。
【００２５】
例えば、前記画像処理部は、前記提示データとして、詳細な情報が含まれる詳細提示データと簡易な情報が含まれる簡易提示データとを生成し、前記提示要否判定部は、前記所定の数Ｍ以下の機器を判定する際に、前記画像データに映し出されている前記機器の中で、前記制御情報に基づく制御を実施した場合のエネルギー消費量の推定値と、前記エネルギー消費量の実績値との差分が大きい機器ほど優先して前記詳細提示データを提示する所定の数Ｍｄ（Ｍｄは、Ｍｄ≦Ｍを満たす整数）以下の機器として判定し、さらに、前記詳細提示データを提示する前記所定の数Ｍｄ以下の機器として判定されていない機器の中で、前記エネルギー消費量の推定値と、前記エネルギー消費量の実績値との差分が大きい機器ほど優先して前記簡易提示データを提示する所定の数（Ｍ−Ｍｄ）以下の機器として判定するとしてもよい。
【００２６】
例えば、前記第１の取得部は、前記制御要求を、電力会社または公共機関からネットワークを介して受信するとしてもよい。
【００２７】
例えば、前記表示部は、画面を有し、前記提示要否判定部は、前記画面のサイズに応じて前記所定の数Ｍを決定するとしてもよい。
【００２８】
例えば、前記制御情報表示装置は、前記利用者からの指示を受け付ける操作部を備え、前記提示要否判定部は、前記操作部で指定された数に、前記所定の数Ｍを決定するとしてもよい。
【００２９】
例えば、前記制御情報表示装置は、携帯電話、スマートフォン、或いは、テレビであるとしてもよい。
【００３０】
例えば、前記第１の取得部は、複数の前記機器それぞれに関する前記制御情報を取得し、前記第２の取得部は、複数の前記機器が映し出された画像データを、前記画像データとして取得し、前記画像処理部は、複数の前記機器のうちの少なくとも１つの機器に対する前記制御情報を提示するための少なくとも１つの前記提示データを生成し、前記提示画像データにおける位置が特定された前記少なくとも１つの機器に対応させて少なくとも１つの前記提示データを前記提示画像データに重畳するとしてもよい。
【００３１】
例えば、前記制御情報表示装置は、さらに、前記提示画像データに映し出されている前記機器の中で、前記制御情報に基づく制御を実施した場合のエネルギー消費量の推定値と、前記エネルギー消費量の実績値との差分がより大きい機器の前記制御情報を提示するための前記提示データに、より大きな提示優先度を設定する提示優先度判定部を備え、前記画像処理部は、前記提示優先度判定部が設定した前記提示優先度がより大きい前記提示データを、前記表示部がより大きく表示するように、前記提示データを重畳するとしてもよい。
【００３２】
例えば、前記制御要求は、前記建物におけるエネルギーの消費量に関する制御要求を含むとしてもよい。
【００３３】
例えば、前記制御要求は、前記建物における少なくとも温度、湿度または照度を含む室内環境パラメータに関する制御要求を含むとしてもよい。
【００３４】
例えば、前記制御要求は、前記建物における室内空気質に関する制御要求を含むとしてもよい。
【００３５】
例えば、前記第２の取得部は、前記機器の識別情報と当該画像データにおける前記機器の位置とを特定する特定情報とが付加された画像データを、前記画像データとして取得し、前記画像処理部は、前記特定情報によって特定された前記提示画像データにおける前記機器の位置の近傍に、前記提示データを重畳するとしてもよい。
【００３６】
また、本発明の一態様に係る制御情報表示装置は、建物におけるエネルギーの消費量に関する制御要求を取得する第１の取得部と、前記建物に設けられたエネルギーを消費する機器が映し出された画像データであって、前記機器それぞれの特定情報が付加された画像データを取得する第２の取得部と、前記機器それぞれのエネルギー消費量の実績値を取得する第３の取得部と、前記機器それぞれのエネルギー消費量の実績値に基づいて、前記制御要求を満たすための制御情報を前記機器それぞれについて生成する制御情報生成部と、前記画像データに映し出された機器のうちの少なくとも１つの機器の前記制御情報を提示するための少なくとも１つの提示データを生成し、前記特定情報によって特定される前記少なくとも１つの機器に対応させて前記少なくとも１つの提示データを前記画像データに重畳する画像処理部と、前記少なくとも１つの提示データが重畳された前記画像データを表示する表示部と、を備える。
【００３７】
また、本発明の一態様に係る制御情報表示方法は、建物に設けられたエネルギーを消費する機器に関する制御情報であって、前記建物における制御要求を満たすための制御情報を取得する第１の取得ステップと、前記機器が映し出された画像データを取得する第２の取得ステップと、前記第２の取得ステップで取得した前記画像データを保持する画像データ保持ステップと、指定された制御モードに基づいて、前記画像データ保持ステップで保持した前記画像データを含む選択候補の中から提示画像データを選択する選択ステップと、前記選択ステップで選択された前記提示画像データに映し出された前記機器のそれぞれに対応する前記制御情報を利用者に提示するための提示データを生成し、前記提示画像データにおける前記機器の位置の近傍に、前記提示データを重畳する画像処理ステップと、前記提示データが重畳された前記提示画像データを表示する表示ステップと、を含む。
【００３８】
また、本発明の一態様に係る制御情報表示システムは、建物に設けられたエネルギーを消費する機器と、制御情報表示装置とを備える制御情報表示システムであって、前記制御情報表示装置は、建物に設けられたエネルギーを消費する機器に関する制御情報であって、前記建物における制御要求を満たすための制御情報を取得する第１の取得部と、前記機器が映し出された画像データを取得する第２の取得部と、前記第２の取得部が取得した前記画像データを保持する画像データ保持部と、指定された制御モードに基づいて、前記画像データ保持部が保持している前記画像データを含む選択候補の中から提示画像データを選択する選択部と、前記選択部で選択された前記提示画像データに映し出された前記機器のそれぞれに対応する前記制御情報を利用者に提示するための提示データを生成し、前記提示画像データにおける前記機器の位置の近傍に、前記提示データを重畳する画像処理部と、前記提示データが重畳された前記提示画像データを表示する表示部と、を備える。
【００３９】
上記に記載の制御情報表示装置等によれば、デマンド計画に基づく提示データが、対応するエネルギー消費機器の近傍に重畳された形態で出力部から出力されるので、利用者は、各エネルギー消費機器をどのように使用すればデマンド制御要求を満たすことが出来るのかが容易に理解できる。
【００４０】
画面に映し出されるエネルギー消費機器が多い場合には、画像データに重畳される提示データの数は、視認性が十分確保できる数に制限され、デマンド計画に基づく、エネルギー消費機器の動作状況と、現状の動作状況との間の差異が大きいエネルギー消費機器に関する提示データ、つまり、実施された場合に効果がより高い提示データが優先的に重畳される。
【００４１】
その為、出力部が出力するデータに重畳された提示データが利用者に視認されて、デマンド制御要求を達成する上で効果的な、提示データの内容に基づく制御が実施されることが期待できる。つまり、デマンド制御要求を達成する上で効果的な、エネルギー消費機器の使用の仕方を利用者に対して促すことが出来る。
【００４２】
また、建物のエネルギー消費目標を達成する為の各機器の制御内容の高い視認性を可能にするエネルギー制御装置を提供できる。
【００４３】
（実施の形態１）
図１は、本実施の形態のエネルギーマネジメントシステムのシステム構成図である。
【００４４】
本実施の形態のエネルギーマネジメントシステムは、ｎ（ｎは１以上の整数）台のエネルギー消費機器１５１〜１５ｎと、マネジメント部１００とを備える。
【００４５】
エネルギー消費機器１５１〜１５ｎのそれぞれは、家に設置されており、エネルギーを消費して、利用者に対して、固有の機能を提供する。マネジメント部１００は、エネルギー消費機器１５１〜１５ｎが消費するエネルギーを管理する。
【００４６】
マネジメント部１００は、機器観測部１０１と、カメラ部１０２と、機器情報保持部１０３と、機器特定部１０４と、入力部１０５と、デマンド計画生成部１０６と、スマート情報重畳部１０７と、出力部１０８とを備える。
【００４７】
機器観測部１０１は、エネルギー消費機器と、有線または無線によって通信をして、各エネルギー消費機器が消費するエネルギー量、及び、各エネルギー消費機器の状態に関する機器動作状態情報を取得して蓄積する。
【００４８】
カメラ部１０２は、家の中および家の外に設置されたエネルギー消費機器を撮影する。
【００４９】
機器情報保持部１０３は、家に設置されているエネルギー消費機器１５１〜１５ｎのメーカーや型番、消費電力などの機器スペック情報と、エネルギー消費機器を特定するための機器特徴情報とを保持する。
【００５０】
機器特定部１０４は、カメラ部１０２が撮影した画像データの中に映し出されたエネルギー消費機器（エネルギー消費機器の識別と、そのエネルギー消費機器が映された位置）を特定する。なお、機器特定部１０４は、外部装置（不図示）から画像データを取得し、当該画像データの中に映し出されたエネルギー消費機器を特定してもよい。その場合、カメラ部１０２は不要である。
【００５１】
入力部１０５は、家の中で消費されるエネルギーに関するデマンド制御要求を入力する。
【００５２】
デマンド計画生成部１０６は、入力部１０５から入力されたデマンド制御要求を満たすように、エネルギー消費機器１５１〜１５ｎそれぞれに対する制御内容が規定されているデマンド計画を生成する。このデマンド計画生成部１０６は、デマンド計画を含む、利用者に対して提示する情報（以降、「提示情報」と呼ぶ）を生成する（後述の図３を参照）。
【００５３】
スマート情報重畳部１０７は、この提示情報から生成される提示データを、エネルギー消費機器が特定された画像データに重畳する。
【００５４】
出力部１０８は、スマート情報重畳部１０７によって、提示データが重畳された後の画像データを出力する。
【００５５】
エネルギー消費機器１５１〜１５ｎのそれぞれは、具体的には、例えば、エアコンや照明機器、テレビなどの家電機器である。また、それぞれは、給湯器や太陽光発電装置、蓄電池装置などの機器でもよい。なお、太陽光発電装置は、電気エネルギーを生成する機器であるともいえるが、エネルギーの消費量がマイナスの機器として、エネルギー消費機器に含まれる。
【００５６】
カメラ部１０２は、静止画及び動画の撮影が可能なデジタルカメラである。
【００５７】
機器観測部１０１、機器情報保持部１０３、機器特定部１０４、入力部１０５、デマンド計画生成部１０６、スマート情報重畳部１０７、および出力部１０８は、実際には、単数または複数のＣＰＵと複数のメモリデバイスとによって構成される。つまり、ＣＰＵが、メモリデバイスに格納されたプログラムを実行し、メモリデバイス上のメモリ領域に、読み出し可能な形態で情報を格納する。このことで、機器観測部１０１、機器情報保持部１０３、機器特定部１０４、デマンド計画生成部１０６、スマート情報重畳部１０７のそれぞれの機能が実現される。
【００５８】
また、入力部１０５は、タッチパネルと音声マイクとを、その構成に含む。つまり、ＣＰＵが、メモリデバイスに格納されたドライバソフトウェア、及び、ソフトキーボードや音声認識アプリケーションを実行する。これにより、ＣＰＵが、上述のタッチパネルからの各種のタッチ入力を受け付けたり、上述の音声マイクからの音声入力を受け付けたりする。
【００５９】
また、出力部１０８は、液晶ディスプレイとスピーカとを、その構成に含む。ＣＰＵが、メモリデバイスに格納されたドライバソフトウェア、及び、ブラウザ等の表示アプリケーション、音声再生アプリケーションを実行する。これにより、ＣＰＵが、上述の液晶ディスプレイへの表示をしたり、上述のスピーカから音声を出力したりする。
【００６０】
なお、入力部１０５のタッチパネルと、出力部１０８の液晶ディスプレイとは、同一の画面を構成する。入力部１０５は、例えば、出力部１０８に出力された情報に対する入力を受け付ける。具体的には、例えば、入力部１０５のタッチパネル上で、タップ操作等の操作が行われた場合に、その操作を、ＣＰＵが実行する、ブラウザ等の表示アプリケーションが、入力として受け付ける。その操作は、タップされた位置などの位置に表示されたボタンの押下操作、または、その位置に表示されたリンクの選択操作として受け付けられる。
【００６１】
機器観測部１０１と、カメラ部１０２と、機器情報保持部１０３と、機器特定部１０４と、入力部１０５と、デマンド計画生成部１０６と、スマート情報重畳部１０７と、出力部１０８は、単一の装置または複数の装置によって構成される。複数の装置で構成される場合には、それらの装置が、有線または無線によって、通信可能な形態で互いに接続されている。
【００６２】
図２は、本実施の形態のエネルギーマネジメントシステムの動作を示すシーケンス図である。
【００６３】
まず、機器観測部１０１は、機器観測処理２０１を実行する。この機器観測処理２０１では、各エネルギー消費機器１５１〜１５ｎと通信して、各エネルギー消費機器が消費するエネルギー量、及び、各エネルギー消費機器の状態に関する情報（以降、「機器動作状態情報」と呼ぶ）を取得して、メモリ領域に蓄積する。機器観測部１０１は、機器観測処理２０１を、定期的に繰り返し実行する。
【００６４】
一方、利用者によって、入力部１０５から、デマンド制御要求２０３が入力される（入力処理２０２）。なお、デマンド制御要求２０３の一例は、家の中で消費されるエネルギーに関するデマンド要求である。以降では、デマンド制御要求２０３が、家の中で消費されるエネルギーに関するデマンド要求である場合について説明する。
【００６５】
すると、入力されたデマンド制御要求２０３は、デマンド計画生成部１０６へ送信される。ここで、デマンド制御要求２０３とは、「家全体のエネルギー消費量を１０％削減する」、または、「家でのエネルギー消費によるＣＯ２排出量を１０％削減する」、または、「家でのエネルギー消費によるコストを１０％削減する」といった要求である。ここでは簡単の為、以降では、適宜、デマンド制御要求２０３が、「家全体の電力消費量を１０％削減する」という要求であるケースについて、詳しく説明する。
【００６６】
デマンド制御要求２０３を受信したデマンド計画生成部１０６は、デマンド計画生成処理２０６を行う。デマンド計画生成処理２０６では、機器観測部１０１にアクセスして、メモリ領域に蓄積されている機器動作状態情報２０４を参照する。さらに、機器情報保持部１０３に保持されている機器スペック情報２０５を参照する。これらを参照して、公知の方法などの方法によって、デマンド制御要求２０３を満たすデマンド計画を生成する。
【００６７】
機器情報保持部１０３には、エネルギー消費機器１５１〜１５ｎそれぞれの機器スペック情報２０５を保持する。具体的には、１つのエネルギー消費機器の機器スペック情報２０５として、そのエネルギー消費機器の、各種の動作状態におけるエネルギー消費に関する情報が保持される。なお、この保持では、例えば、機器スペック情報２０５が、そのエネルギー消費機器の識別情報に紐付けられて保持されている。
【００６８】
デマンド計画生成部１０６が、デマンド計画を生成する公知の方法（上述）としては、例えば、次の方法がある。つまり、特許文献２の段落［００７８］から段落［０１０６］に記載されている、シミュレーション実行部が削減プランを生成する方法などがある。本実施の形態のデマンド計画生成部１０６の場合には、次のシミュレーションをする方法が、例示される。つまり、現状のエネルギー消費機器の構成と組み合わせられる制御パターンがある。つまり、複数の制御パターンのそれぞれとの組み合わせがある。デマンド計画生成部１０６は、それぞれの組合せに関してシミュレーションを行う。デマンド計画生成部１０６は、このシミュレーションの結果を評価して、デマンド制御要求２０３（特許文献２における削減目標に相当）を満たす結果が得られる制御パターンを導出し、導出した制御パターンの内容をデマンド計画とする。
【００６９】
デマンド計画生成部１０６は、生成したデマンド計画と、各エネルギー消費機器の現状の動作状況を示す機器動作状態情報２０４とが含まれる提示情報２０７をスマート情報重畳部１０７へ送信する。
【００７０】
次に、利用者によってカメラ部１０２で、家の中または家の外観の撮影がされると（撮影処理２１１）、撮影された画像データ２１２は、機器特定部１０４に送信される。
【００７１】
画像データ２１２を受信した機器特定部１０４は、機器特定処理２１４を行う。この処理では、機器情報保持部１０３に保持されている機器特徴情報２１３（先述）を参照して、受信した画像データ２１２の中に映し出されたエネルギー消費機器を特定する。
【００７２】
機器情報保持部１０３には、エネルギー消費機器１５１〜１５ｎそれぞれの機器特徴情報２１３が保持される。１つのエネルギー消費機器の機器特徴情報２１３は、そのエネルギー消費機器が映し出された画像データ２１２の画像の中から、画像解析によって、そのエネルギー消費機器を特定するための情報である。この情報は、そのエネルギー消費機器の識別情報に紐付けられて保持されている。
【００７３】
機器特定部１０４は、画像データ２１２を画像処理して、特徴情報を抽出する。機器特定部１０４は、その特徴情報を、機器情報保持部１０３が保持する機器特徴情報２１３と照合する。これにより、機器特定部１０４は、画像データ２１２の中に映し出されたエネルギー消費機器が、照合に成功した機器特徴情報に対応するエネルギー消費機器であることを特定する。機器特定部１０４は、カメラ部１０２が撮影した画像データ２１２に、特定したエネルギー消費機器の機器特定情報を付加した特定情報付き画像データ２１５を、スマート情報重畳部１０７に対して送信する。この機器特定情報には、特定したエネルギー消費機器の識別情報や、画像データ２１２における、そのエネルギー消費機器の映像の位置を示す情報が含まれている。
【００７４】
次に、提示情報２０７と、特定情報付き画像データ２１５を受信したスマート情報重畳部１０７は、スマート重畳処理２１６を実行する。この処理では、後述する所定のアルゴリズムに基づいて、提示情報２０７から、実際に利用者に対して提示するデータである提示データを生成する。そして、生成した提示データを、特定情報付き画像データ２１５上の、エネルギー消費機器の位置（上述）の近傍に重畳する。この時、スマート重畳処理２１６では、利用者の視認性を考慮して、必要に応じて、重畳する提示データの数を制限する。これにより、提示情報２０７の内容の表示態様が、利用者に比較的視認し易い態様にできる。なお、特定情報付き画像データ２１５は、一例として、機器特定部１０４からスマート情報重畳部１０７へ送信される。別の一例として、特定情報付き画像データ２１５は、カメラ部１０２と機器特定部１０４との機能を有する外部装置から、機器特定部１０４からスマート情報重畳部１０７へ送信される場合もある。なお、「近傍」とは、指定位置から所定距離の範囲内を意味する。
【００７５】
また、スマート重畳処理２１６では、出力部１０８の表示アプリケーションや、音声再生アプリケーションによって出力される、特定情報付き画像データ２１５と、提示データとが重畳された画像データ２１７を生成する処理が行われる。具体的には、スマート重畳処理２１６は、次のデータ形式のデータを生成する。つまり、出力部１０８の表示アプリケーションや音声再生アプリケーションの入力データであり、それら表示アプリケーションや、音声再生アプリケーションが解釈可能なデータ形式のデータである。そのようなデータが、提示データが重畳された画像データ２１７として生成される。具体的には、スマート重畳処理２１６は、特定情報付き画像データ２１５と、提示データとが重畳された、ＨＴＭＬ（Hyper Text Markup Language）データ等のデータを生成する。つまり、例えば、スマート情報重畳部１０７は、生成したＨＴＭＬデータ、および、そのＨＴＭＬデータによって参照される画像データや音声データが含まれるデータを、提示データが重畳された画像データ２１７として生成して、出力部１０８へ送信する。
【００７６】
次に、出力部１０８は、提示データが重畳された画像データ２１７を、液晶ディスプレイやスピーカを用いて出力する（出力処理２１８）。出力部１０８の表示アプリケーションが、ＨＴＭＬデータに基づいて、エネルギー消費機器の近傍に提示データを重畳して液晶ディスプレイに表示する。また、出力部１０８の音声再生アプリケーションが、スピーカをドライブして、ＨＴＭＬデータが参照する音声データを再生する。
【００７７】
次に、スマート情報重畳部１０７について詳しく説明する。
【００７８】
図３は、スマート情報重畳部１０７の内部構成を示している。
【００７９】
スマート情報重畳部１０７は、提示要否判定部３０１と、提示データ生成部３０２と、重畳処理部３０３とを備える。提示要否判定部３０１は、提示データの、利用者への提示の要否を、所定のアルゴリズムに基づいて判定する（提示要否判定処理）。提示データ生成部３０２は、提示要否判定部３０１が要提示と判定した提示データを、提示情報に基づいて生成する。重畳処理部３０３は、提示要否判定部３０１が要提示と判定した提示データを、エネルギー消費機器が特定されることで、機器特定情報の付加がされた特定情報付き画像データ２１５に重畳する。
【００８０】
例えば、画像データ２１２の中に特定されるエネルギー消費機器の数が比較的多い場合も考えられる。この場合には、単純に、各エネルギー消費機器に対して提示データを重畳すると、液晶ディスプレイには、数多くの提示データが同時に表示されて、見難くなり、利用者による視認性が低下することになる。そこで、提示要否判定部３０１は、利用者の視認性を考慮した所定のアルゴリズムに基づいて、デマンド計画の内容を示す情報の、利用者への提示の要否を判定することで、重畳する提示データの数を制限する。
【００８１】
図４は、提示要否判定部３０１による提示要否判定処理のフローチャートを示している。
【００８２】
まず、提示要否判定部３０１は、機器特定情報をもとに、画像データ２１２の中の、特定されたエネルギー消費機器の機器数Ｎ（Ｎは０以上の整数）をカウントする（ステップＳ４０１）。
【００８３】
次に、特定されたＮ台のエネルギー消費機器に関して、デマンド計画を実施した場合と、現状との差異を定量化する（ステップＳ４０２）。具体的には、デマンド計画が示す、それぞれのエネルギー消費機器に対する制御内容がある。デマンド制御要求がエネルギー消費量に関する制御要求であるケースでは、この制御内容の制御を実施した場合に、そのエネルギー消費機器によって消費されるエネルギー量の推定値Ｅｐと、現状の動作状況の下で消費されているエネルギー量の実績値Ｅｒとの差異ΔＥ（＝Ｅｒ−Ｅｐ）を算出する。
【００８４】
また、デマンド制御要求がＣＯ２排出量に関する制御要求であるケースでは、この制御内容の制御を実施した場合に、そのエネルギー消費機器によって消費されるエネルギー量に基づくＣＯ２排出量の推定値Ｅｐと、現状の動作状況の下で消費されているエネルギー量に基づくＣＯ２排出量の実績値Ｅｒとの差異ΔＥ（＝Ｅｒ−Ｅｐ）を算出する。
【００８５】
また、デマンド制御要求がコストに関する制御要求であるケースでは、この制御内容の制御を実施した場合に、そのエネルギー消費機器によって消費されるエネルギー量に基づくコストの推定値Ｅｐと、現状の動作状況の下で消費されているエネルギー量に基づくコストの実績値Ｅｒとの差異ΔＥ（＝Ｅｒ−Ｅｐ）を算出する。
【００８６】
次に、提示データの最大提示数Ｍ（Ｍは１以上の整数）と、機器数Ｎとを比較する（ステップＳ４０３）。ここで、最大提示数Ｍは、出力部１０８の液晶ディスプレイに同時に表示する提示データの数の上限値である。つまり、この最大提示数Ｍは、液晶ディスプレイの画面サイズおよび解像度等をもとに、提示データを同時に表示しても利用者の視認性が十分に確保される値として予め設定された値である。
【００８７】
Ｎ＞Ｍの場合には、画像データの中に特定されたエネルギー消費機器の数が最大提示数Ｍよりも多い。このため、ステップＳ４０２で算出したデマンド計画と現状との差異ΔＥがより大きいものから順に、Ｍ台のエネルギー消費機器を選択して、それらのエネルギー消費機器に関する提示データを要提示と判定して、提示要否判定処理を完了する（ステップＳ４０４）。ここで、ΔＥを提示優先度とも称する。上記の処理は、提示優先度が大きい提示データを有するものから順にＭ台のエネルギー消費機器を選択して、それらのエネルギー消費機器に関する提示データを要提示と判定する、と表現することもできる。
【００８８】
また、Ｎ≦Ｍの場合には、画像データの中に特定されたエネルギー消費機器の数が、最大提示数Ｍ以下である。このため、画像データの中に特定されたＮ台のエネルギー消費機器に関する提示データを要提示と判定して提示要否判定処理を完了する（ステップＳ４０５）。
【００８９】
したがって、以上の提示要否判定処理によれば、次の各動作が行われる。
【００９０】
例えば、カメラ部１０２の向きを少し変えることで、画像データ２１２の中に特定されるエネルギー消費機器の機器数Ｎが多くなくなると、要提示と判定されていたエネルギー消費機器が、要提示と判定されないようになる場合がある。また、逆に、カメラ部１０２の向きを少し変えることで、画像データ２１２の中に特定されるエネルギー消費機器の機器数Ｎが少なくなると、要提示と判定されていなかったエネルギー消費機器が、要提示と判定されるようになる場合がある。
【００９１】
さらに、例えば、カメラ部１０２をズームアウト操作して、画像データ２１２の中に特定されるエネルギー消費機器の機器数Ｎが多くなくなると、要提示と判定されていたエネルギー消費機器が、要提示と判定されないようになる場合がある。また、逆に、カメラ部１０２をズームイン操作して、画像データ２１２の中に特定されるエネルギー消費機器の機器数Ｎが少なくなると、要提示と判定されていなかったエネルギー消費機器が、要提示と判定されるようになる場合がある。
【００９２】
つまり、カメラを操作して、画像データ２１２の中に特定されるエネルギー消費機器の機器数Ｎが多くなくなると、要提示と判定されていたエネルギー消費機器が要提示と判定されないようになる場合がある。この場合、そのエネルギー消費機器に関する提示データが、利用者に提示されないようになる。また、逆に、カメラ部１０２を操作して、画像データの中に特定されるエネルギー消費機器の機器数Ｎが少なくなると、要提示と判定されていなかったエネルギー消費機器が要提示と判定されるようになる場合がある。この場合、そのエネルギー消費機器に関する提示データが利用者に提示されるようになる。
【００９３】
なお、提示要否判定処理では、省エネモードなどの特定の機能を備えたエネルギー消費機器や、特定のメーカーのエネルギー消費機器についてのみ、上述の提示データの提示の要否を判定するようにしてもよい。
【００９４】
この場合、機器特定部１０４において、機器情報保持部１０３に保持されているスペック情報を参照して、特定の機能を備えたエネルギー消費機器、あるいは、特定のメーカーのエネルギー消費機器に関してのみ、画像データに機器特定情報を付加する処理を行う。
【００９５】
また、提示データ生成部３０２は、提示要否判定部３０１が要提示と判定した提示データ３０２ａを生成する。生成された提示データ３０２ａには、画像データ、音声データ、テキストデータ、動画データ等のうちの１つ以上が含まれる。
【００９６】
提示データ生成部３０２は、ステップＳ４０２で算出した、デマンド計画と現状との差異Ｅｒ−Ｅｐの、デマンド計画に対する割合（Ｅｒ−Ｅｐ）／Ｅｐが、所定の割合以上であった場合には、次の動作をする。その動作では、現状の動作状況を示す情報や、デマンド計画が示す制御内容の実施を促すアドバイスを提示データ３０２ａとして生成する。
【００９７】
例えば、上記の所定の割合が１０％であった場合には、デマンド計画と現状との差異の、デマンド計画に対する割合（Ｅｒ−Ｅｐ）／Ｅｐが１０％以上であると、提示データ生成部３０２は、現状の動作状況を示す情報や、デマンド計画が示す制御内容の実施を促すアドバイスを提示データ３０２ａとして生成する。
【００９８】
また、ステップＳ４０２で算出したデマンド計画と現状との差異と、デマンド計画との割合（Ｅｒ−Ｅｐ）／Ｅｐが、所定の割合未満であった場合には、現状の動作状況を示す情報や、デマンド制御要求を達成する上で理想に近い動作状況であることを示す情報を提示データ３０２ａとして生成する。
【００９９】
例えば、上記の所定の割合が１０％であった場合には、デマンド計画と現状との差異と、デマンド計画との割合（Ｅｒ−Ｅｐ）／Ｅｐが１０％未満であると、提示データ生成部３０２は、現状の動作状況を示す情報や、デマンド制御要求を達成する上で理想に近い動作状況であることを示す情報を提示データ３０２ａとして生成する。
【０１００】
提示データ生成部３０２には、予め、提示データ３０２ａの部品となる、テキストメッセージのテンプレートや、画像データ、音声データ、アニメーションデータなどの部品データが保持されている。提示データ生成部３０２は、提示情報２０７に含まれているデマンド計画の設定値をテンプレートに埋め込んだり、部品データの画像と組み合わせたりすることで、提示データ３０２ａを生成する。
【０１０１】
部品データには、エネルギー消費機器の状態を示すアイコンの画像や、擬人的なキャラクタの画像データ又はアニメーションデータなどが含まれており、エネルギー消費機器の状態や、使用の仕方に関するアドバイスを利用者にとって比較的親しみ易い形態で提示する。
【０１０２】
こうして、比較的親しみ易い形態で提示することで、提示内容に対する利用者の関心が高まり、利用者が、提示データ３０２ａのアドバイスに基づく操作を実際に行う可能性が高くなる。
【０１０３】
重畳処理部３０３は、機器特定部１０４から入力される機器特定情報が付加された特定情報付き画像データ２１５に、提示データ生成部３０２が生成した提示データ３０２ａを重畳する処理を行う。
【０１０４】
この時、特定情報付き画像データ２１５の中における、特定されたエネルギー消費機器の近傍に、そのエネルギー消費機器に対応する提示データ３０２ａが重畳される。
【０１０５】
この時、重畳処理部３０３では、提示データが重畳された画像データ２１７を生成する。出力部１０８の表示アプリケーションや音声再生アプリケーションによって、このデータが用いられることにより、画像データ２１５と、提示データ３０２ａとが重畳されて出力される。つまり、このデータは、ＨＴＭＬ（Hyper Text Markup Language）データ等の、表示アプリケーションなどが解釈可能なデータ形式のデータである。
【０１０６】
次に、提示データ３０２ａが重畳された画像データ２１７が、出力部１０８に出力された一例を図５に示す。
【０１０７】
図５は、携帯端末５００の液晶ディスプレイ５１１と、スピーカ５１２と、携帯端末５００のＣＰＵ上で実行される表示アプリケーション（図示されていない）及び音声再生アプリケーション（図示されていない）とを出力部１０８として構成した場合の一例を示している図である。また、図５は、提示データの最大提示数Ｍが１の場合で、エネルギー消費機器（エアコン）１５２の提示データが要提示と判断された場合の一例を示している。
【０１０８】
この場合、液晶ディスプレイ５１１には、表示アプリケーションによって、提示データが重畳された画像データ２１７が表示される。その提示データが重畳された画像データ２１７の中には、家の中の空間５００Ｒにあるエネルギー消費機器（テレビ）１５１と、エネルギー消費機器（エアコン）１５２と、エネルギー消費機器（照明）１５３とが映し出されている。
【０１０９】
さらに、液晶ディスプレイ５１１には、表示アプリケーションによって、エネルギー消費機器（エアコン）１５２の提示データとして、エネルギー消費機器（エアコン）１５２を視覚的に強調する画像データ５０１や「設定温度を２８℃に上げて下さい！」といったテキストデータ５０２が重畳されて表示される。
【０１１０】
また、利用者が、液晶ディスプレイ５１１と一体化されているタッチパネル上で、エネルギー消費機器（エアコン）１５２の映像１５２ｕをタップすると、音声再生アプリケーションによって、「設定温度を２８℃に上げて下さい！」という音声が、スピーカ５１２から出力される。
【０１１１】
このように、デマンド計画に基づく提示データが、対応するエネルギー消費機器の近傍に重畳された形態で出力部１０８から出力される。このため、利用者は、各エネルギー消費機器をどのように使用すればデマンド制御要求２０３を満たすことが出来るのかが容易に理解できる。
【０１１２】
画面に映し出されるエネルギー消費機器が比較的多い場合には、画像データに重畳される提示データの数は、視認性が十分確保できる数に制限される。具体的には、デマンド計画に基づくエネルギー消費機器の動作状況と、現状の動作状況との間の差異が大きいエネルギー消費機器に関する提示データ、つまり、実施された場合に効果が高い提示データが優先的に重畳される。
【０１１３】
その為、出力部１０８が出力するデータに重畳された提示データが利用者に視認されて、デマンド制御要求を達成する上で比較的効果的な提示データの内容のみが提示される。これにより、その提示データの制御内容が比較的確実に実施されることが期待できる。
【０１１４】
つまり、デマンド制御要求を達成する上で、比較的効果的なエネルギー消費機器の使用の仕方のみを利用者に対して促すことが出来る。
【０１１５】
なお、提示データ生成部３０２が保持する部品データに、エネルギー消費機器の妖精を想定した画像データやアニメーションデータを含めて、提示データ生成部３０２が、これらの部品データを用いて提示データを生成するようにしても良い。
【０１１６】
この場合、エネルギー消費機器の妖精が、エネルギー消費機器の状態および使用の仕方に関するアドバイスを提示しているかのような印象を利用者に与え、利用者にとって、より親しみ易い形態で、提示データの提示をすることが出来る。
【０１１７】
さらに、エネルギー消費機器の妖精に名前を設定して、利用者がその名前を呼ぶことで、タッチパネル上でエネルギー消費機器（エアコン）１５２をタップした場合と同じ動作が行われるようにしても良い。
【０１１８】
この場合、エネルギー消費機器の妖精に設定された名前に関する情報は、スペック情報や機器特徴情報とともに、機器情報保持部１０３に保持する。入力部１０５の音声認識アプリケーションが、機器情報保持部１０３に保持されているこの情報を参照して、エネルギー消費機器の妖精に設定された名前が呼ばれたことを認識する。
【０１１９】
例えば、図５に示した一例の場合には、エネルギー消費機器（エアコン）１５２の妖精の名前を呼ぶと、音声再生アプリケーションによって「設定温度を２８℃に上げて下さい！」という音声がスピーカ５１２から出力される。
【０１２０】
このように親しみ易い形態で、提示データを提示することで、提示内容に対する利用者の関心が高まり、利用者が提示データのアドバイスに基づく操作を実際に行う可能性が高くなる。
【０１２１】
なお、上記では、機器観測部１０１は、エネルギー消費機器と有線または無線によって通信をして機器動作状態情報を取得するとした。一方、エネルギー消費機器が消費するエネルギー量を、分電盤に電力計測機を設置して計測し、電力計測機との有線通信または無線通信によって、各エネルギー消費機器が消費するエネルギー量を取得するようにしても良い。
【０１２２】
また、さらに、エネルギー消費機器が消費するエネルギー量の推移を分析することによって、各エネルギー消費機器の状態に関する情報を取得するようにしても良い。
【０１２３】
この場合、エネルギー消費機器が、機器観測部１０１と通信する通信機能を備えていなくても、本実施の形態のエネルギーマネジメントシステムを構成することができる。
【０１２４】
なお、また、上記では、デマンド制御要求が、利用者によって入力部１０５から入力されるとしたが、電力会社または公共機関などによって、外部からセキュアなネットワークを介して入力されるように構成しても良い。
【０１２５】
この場合、外部から各家に対してデマンド制御要求を促すことが出来るので、例えば、地域レベルのデマンド制御を行うことが出来る。
【０１２６】
また、最大提示数Ｍは、出力部１０８の液晶ディスプレイの画面サイズと解像度に応じて、自動的に設定されるようにしても良い。この場合、画面サイズや解像度が異なる液晶ディスプレイを備える出力部に出力した場合でも、最大提示数Ｍが液晶ディスプレイに応じた値に自動的に設定されるので、提示データを同時に表示しても利用者の視認性が十分に確保される。
【０１２７】
また、最大提示数Ｍは、利用者が入力部１０５から入力する値に設定されるようにしても良い。複数の提示データを同時に表示した場合の視認性には個人差があるので、利用者が入力した値に設定できることで、最大提示数Ｍを、利用者に応じた見やすい数に設定できる。
【０１２８】
また、最大提示数Ｍは、出力部１０８の液晶ディスプレイや表示アプリケーションの表示性能に応じた数に自動的に設定されるようにしても良い。
【０１２９】
この場合、携帯電話などの、表示性能の比較的低い出力部に出力された場合でも、最大提示数Ｍが、表示性能に応じた数に自動的に設定されるので、提示データを同時に表示しても、表示が極端に遅くなることもなく、利用者の視認性が確保される。
【０１３０】
なお、エネルギー消費機器１５１〜１５ｎに、機器を特定するためのマーカを貼り、機器情報保持部１０３に、エネルギー消費機器の機器特徴情報として、マーカ情報と、エネルギー消費機器の識別情報を紐付けて保存するようにしてもよい。
【０１３１】
この場合、機器の特定を精度良く行うことができる。
【０１３２】
なお、カメラ部１０２を複数個設けて、家の各所に配置し、カメラ部１０２から、機器特定部１０４に入力される画像データを、各所に配置された複数個のカメラ部１０２によって撮影された複数の画像データの中から切り替えて選択できるように構成してもよい。
【０１３３】
この場合、カメラ部１０２から機器特定部１０４に入力される画像データ２１２を切り替えることで、各所を撮影した画像データに映し出される、家の各所のエネルギー消費機器に関して、提示要否判定部３０１で要提示と判定された場合に、提示データが重畳されて出力部１０８から出力されるようになる。
【０１３４】
なお、携帯端末５００は、具体的には、携帯電話やスマートフォン、テレビの他、腕時計型の携帯端末、或いは、メガネ型の携帯端末であってもよい。例えば、携帯端末５００がメガネ型の携帯端末の場合、レンズの部分の液晶ディスプレイに提示データが重畳されて表示されることになる。
【０１３５】
なお、提示データ生成部３０２は、提示データ３０２ａとともに、当該提示データの提示態様を生成してもよい。その際、提示データ生成部３０２は、提示データの提示優先度に応じて異なる提示態様を設定してもよい。具体的には、提示優先度が大きいほど、提示データ３０２ａである画像データ、テキストデータ又は動画データがそれぞれ示す画像、テキスト又は動画を相対的により大きく表示するように、提示態様を生成してもよい。また、提示優先度が大きいほど、提示データ３０２ａである音声データが示す音声を相対的により大きな音量で出力するように、提示態様を生成してもよい。また別の言い方をすると、提示優先度が小さいほど、提示データ３０２ａである画像データ、テキストデータ又は動画データがそれぞれ示す画像、テキスト又は動画を相対的により小さく表示するように、提示態様を生成してもよい。また、提示優先度が小さいほど、提示データ３０２ａである音声データが示す音声を相対的により小さな音量で出力するように、提示態様を生成してもよい。このように、提示データの提示優先度に応じて異なる提示態様を設定する機能を実行する提示優先度判定部を、マネジメント部１００が備えてもよい。
【０１３６】
上記により、提示データ生成部３０２が提示データ３０２ａである画像データ、テキストデータ又は動画データの表示の大きさを変更した後に、当該提示データ３０２ａが重畳された画像データ２１７を重畳処理部３０３が生成し、出力部１０８（液晶ディスプレイ５１１）が当該画像データ２１７を表示する。その後、利用者が当該提示データ３０２ａを指定することで、提示データ生成部３０２は、当該提示データ３０２ａの提示態様をさらに変更してもよい。具体的には、提示データ生成部３０２は、比較的大きく表示された提示データ３０２ａを小さく表示するように変更してもよい。また、提示データ生成部３０２は、比較的小さく表示された提示データ３０２ａを大きく表示するように変更してもよい。このようにすることで、利用者は、同時に表示された提示データを、大きさを変えながら順次閲覧することができる。なお、利用者が提示データ３０２ａを指定することは、例えば、液晶ディスプレイ５１１（タッチパネル）に表示された提示データ３０２ａの近傍を利用者がタッチしたり、液晶ディスプレイ５１１（タッチパネル）に表示された提示データ３０２ａを含む領域を広げたり、狭めたりするピッチ操作をすることで実現される。
【０１３７】
なお、デマンド制御要求２０３は、家の中の温度や湿度、明るさを示す照度などの室内環境パラメータに関するデマンド要求としてもよい。室内環境パラメータに関するデマンド要求とは、例えば、「温度を２４度以上２８度以下、湿度を４０パーセント以上６０パーセント以下、照度を５００ルクス以上１０００ルクス以下にする」といった要求である。環境パラメータに関するデマンド要求は、温度だけ、または湿度だけ、または照度だけに関する要求でもよく、温度と湿度と照度の組み合わせであってもよい。入力部１０５が、室内環境パラメータに関するデマンド要求を受け付ける場合、デマンド計画生成部１０６は、室内環境パラメータを変更する機能を有するエネルギー消費機器（例えば、エアコン、加湿器、除湿機、照明機器又は電動カーテン等）を用いてデマンド要求２０３を満たすデマンド計画を生成する。また、機器観測部１０１は、室内環境パラメータを計測する機能を有するエネルギー消費機器（例えば、エアコン、加湿器、除湿機、照度センサ又はセンサカメラ等）と通信して室内環境パラメータに関する情報を取得してメモリ領域に蓄積する。その後、上記と同様の処理を行うことにより、室内環境パラメータを変更する機能を有するエネルギー消費機器についての提示データが重畳されて、提示画像データが出力される。このようにすることで、室内環境パラメータに関するデマンド要求２０３に基づく提示データが、対応するエネルギー消費機器の近傍に重畳された形態で出力部１０８から出力される。利用者は、各エネルギー消費機器をどのように使用すれば室内環境パラメータに関するデマンド制御要求２０３を満たすことが出来るのかが容易に理解できる。
【０１３８】
なお、デマンド制御要求２０３は、家の中の室内空気質に関するデマンド要求としてもよい。室内空気質とは、空気に含まれる気体成分、化学物質、粒子もしくは埃などの量、温度、又は、湿度などを示す指標である。室内空気質に関するデマンド要求とは、例えば、「空気中に含まれる物質Ａの濃度を○○ｐｐｍ以下にする」といった要求である。入力部１０５が、室内空気質に関するデマンド要求を受け付ける場合、デマンド計画生成部１０６は、室内空気質を変更する機能を有するエネルギー消費機器（例えば、空気清浄機、エアコン又は換気扇等）を用いてデマンド要求２０３を満たすデマンド計画を生成する。また、機器観測部１０１は、室内空気質を計測する機能を有するエネルギー消費機器（空気清浄機、エアコン又は空気質センサ等）と通信して室内空気質に関する情報を取得してメモリ領域に蓄積する。その後、上記と同様の処理を行うことにより、室内空気質を変更する機能を有するエネルギー消費機器についての提示データが重畳されて、提示画像データが出力される。このようにすることで、室内空気質に関するデマンド要求２０３に基づく提示データが、対応するエネルギー消費機器の近傍に重畳された形態で出力部１０８から出力される。利用者は、各エネルギー消費機器をどのように使用すれば室内空気質に関するデマンド制御要求２０３を満たすことが出来るのかが容易に理解できる。
【０１３９】
（実施の形態２）
本実施の形態のエネルギーマネジメントシステムは、提示データの提示優先度に応じて、詳細レベルの異なる複数種類の提示データを重畳する点に特徴がある。本実施の形態では、デマンド計画と現状との差異がより大きいエネルギー消費機器に関する提示データほど、利用者への提示優先度が高いものとする。
【０１４０】
また、本実施の形態では、提示データの詳細レベルに、比較的、詳細な情報が提示される「詳細表示」と、比較的、簡易な情報が提示される「簡易表示」との２つのレベルを設けて、「詳細表示」のレベルは、利用者への提示優先度が高い提示データに優先して割り当てられる。
【０１４１】
但し、本実施の形態の基本構成は実施の形態１と共通であるから、実施の形態１と共通する構成要素には同一の符号を付して図示並びに詳しい説明を適宜、省略する。
【０１４２】
図６は、本実施の形態における提示要否判定部３０１による提示要否判定処理のフローチャートを示している。
【０１４３】
まず、提示要否判定部３０１は、画像データの中の特定されたエネルギー消費機器の機器数Ｎ（Ｎは０以上の整数）をカウントする（ステップＳ６０１）。
【０１４４】
次に、特定されたＮ台の各エネルギー消費機器に関して、デマンド計画と現状との差異を定量化する（ステップＳ６０２）。
【０１４５】
次に、提示データの最大詳細提示数Ｍｄ（Ｍｄは１以上の整数）と機器数Ｎとを比較する（ステップＳ６０３）。ここで、最大詳細提示数Ｍｄは、出力部１０８の液晶ディスプレイに同時に「詳細表示」のレベルで表示される提示データの数の上限値である。つまり、この最大詳細提示数Ｍｄは、液晶ディスプレイの大きさや解像度等をもとに、提示データを同時に「詳細表示」のレベルで表示しても利用者の視認性が十分に確保される値として予め設定された値である。
【０１４６】
Ｎ＞Ｍｄの場合には、画像データの中に特定されたエネルギー消費機器の数が最大詳細提示数Ｍｄよりも多いということになる。この為、ステップＳ６０２で算出したデマンド計画と現状との差異ΔＥがより大きいものから順に、Ｍｄ台のエネルギー消費機器を選択して、それらのエネルギー消費機器に関する提示データを、要詳細提示と判定し（ステップＳ６０４）、ステップＳ６０６へ進む。
【０１４７】
また、Ｎ≦Ｍｄの場合には、画像データの中に特定されたエネルギー消費機器の数が、最大詳細提示数Ｍｄ以下である。このことから、画像データの中に特定されたＮ台のエネルギー消費機器に関する提示データを要詳細提示と判定して、提示要否判定処理を完了する（ステップＳ６０５）。
【０１４８】
ステップＳ６０６では、提示データの残最大提示数Ｍ−Ｍｄ（ＭはＭｄ以上の整数、最大提示数を示す）と残機器数Ｎ−Ｍｄとを比較する。ここで、残最大提示数Ｍ−Ｍｄは、提示データの最大提示数Ｍから、「詳細表示」のレベルで表示される数を除いた数あり、提示データの「簡易表示」のレベルでの表示が可能な数を示す。
【０１４９】
また、残機器数Ｎ−Ｍｄは、画像データの中の特定されたエネルギー消費機器の機器数Ｎから「詳細表示」のレベルで表示される数を除いた数であり、提示データの、「簡易表示」のレベルでの表示の候補となるエネルギー消費機器の数を示す。
【０１５０】
Ｎ−Ｍｄ＞Ｍ−Ｍｄの場合には、残機器数Ｎ−Ｍｄが残最大提示数Ｍ−Ｍｄよりも多いということになる。この為、残りのＮ−Ｍｄ台のエネルギー消費機器の中から、ステップＳ６０２で算出したデマンド計画と現状との差異ΔＥがより大きいものから順に、Ｍ−Ｍｄ台のエネルギー消費機器を選択して、そのエネルギー消費機器に関する提示データを、要簡易提示と判定して提示要否判定処理を完了する（ステップＳ６０７）。
【０１５１】
また、Ｎ−Ｍｄ≦Ｍ−Ｍｄの場合には、残機器数Ｎ−Ｍｄが残最大提示数Ｍ−Ｍｄ以下であることから、残りのＮ−Ｍｄ台のエネルギー消費機器に関する提示データを要簡易提示と判定して提示要否判定処理を完了する（ステップＳ６０８）。
【０１５２】
なお、本実施の形態の提示要否判定処理では、省エネモードなどの特定の機能を備えたエネルギー消費機器や、特定のメーカーのエネルギー消費機器についてのみ、提示データの提示の要否を判定するようにしてもよい。
【０１５３】
この場合、機器特定部１０４において、機器情報保持部１０３に保持されているスペック情報を参照して、特定の機能を備えたエネルギー消費機器、あるいは、特定のメーカーのエネルギー消費機器に関してのみ、画像データに機器特定情報を付加する処理を行う。
【０１５４】
また、本実施の形態における提示データ生成部３０２は、提示要否判定部３０１が要詳細提示と判定した提示データに関しては、「詳細表示」のレベルで表示される提示データを生成し、提示要否判定部３０１が要簡易提示と判定した提示データに関しては「簡易表示」のレベルで表示される提示データを生成する。
【０１５５】
具体的には、「詳細表示」のレベルで表示される提示データには、例えば、液晶ディスプレイにおいて比較的大きな表示領域を必要とするテキストデータが含まれる。一方、「簡易表示」のレベルで表示される提示データの場合には、例えば、テキストデータのような比較的大きな表示領域を必要とするデータは含まれない。
【０１５６】
図７は、本実施の形態における、提示データが重畳された画像データ２１７が、出力部１０８に出力された一例を示している。
【０１５７】
図７のケースでは、携帯端末５００の液晶ディスプレイ５１１と、スピーカ５１２と、携帯端末５００のＣＰＵ上で実行される表示アプリケーション（図示されていない）及び音声再生アプリケーション（図示されていない）とを、出力部１０８として構成した場合の一例を示している。
【０１５８】
図７のケースは、提示データの最大提示数Ｍが２、最大詳細提示数Ｍｄが１の場合である。このケースでは、エネルギー消費機器（エアコン）１５２の提示データが要詳細提示と判断され、エネルギー消費機器（照明）１５３の提示データが要簡易提示と判断された場合の一例を示している。
【０１５９】
液晶ディスプレイ５１１には、表示アプリケーションによって、デマンド計画と現状との差異が比較的大きい為に、要詳細表示と判定されたエネルギー消費機器（エアコン）１５２に関しては、提示データとして、エネルギー消費機器（エアコン）１５２を視覚的に強調する画像データ５０１と、「設定温度を２８℃に上げて下さい！」といったテキストデータ５０２とが重畳されて表示される。
【０１６０】
また、要簡易表示と判定されたエネルギー消費機器（照明）１５３に関しては、提示データとして、エネルギー消費機器（照明）１５３を視覚的に強調する画像データ５０３のみが重畳されて表示される。
【０１６１】
このように、デマンド計画と現状との差異が大きいエネルギー消費機器に対して、詳細レベルの高い提示データを重畳する。このことで、提示データの中でも、デマンド計画と現状の動作状況との間の差異が大きいエネルギー消費機器に関する提示データ、つまり、実施された場合に効果が比較的高い制御内容の提示データの視認性が向上する。
【０１６２】
その為、出力部１０８が出力するデータに重畳された提示データが利用者に視認されて、デマンド制御要求を達成する上で比較的効果的な提示データの制御内容が更に確実に実施されることが期待できる。
【０１６３】
つまり、デマンド制御要求を達成する上で、より効果的なエネルギー消費機器の使用の仕方を利用者に対して促すことが出来る。
【０１６４】
なお、上記では、提示データの詳細レベルとして、２つのレベルを設けたが、３つ以上のレベルを設けるようにしてもよい。
【０１６５】
（実施の形態３）
本実施の形態のエネルギーマネジメントシステムは、エネルギー消費機器をデマンド計画に基づいて自動制御する機能を備え、自動制御するエネルギー消費機器と自動制御しないエネルギー消費機器とを区別して提示データを重畳する点に特徴がある。
【０１６６】
但し、本実施の形態の基本構成は実施の形態１と共通部分が多く、実施の形態１と共通する構成要素には同一の符号を付して図示並びに詳しい説明を適宜省略する。
【０１６７】
図８は、本実施の形態のエネルギーマネジメントシステムのシステム構成図である。
【０１６８】
本実施の形態のエネルギーマネジメントシステムでは、実施の形態１のシステム構成に加えて、更に、機器制御部１１０と、計画実行部１０９とを備える。
【０１６９】
機器制御部１１０は、エネルギー消費機器と有線または無線によって通信をしてエネルギー消費機器を制御する。計画実行部１０９は、機器制御部１１０を介して、自動制御するエネルギー消費機器のデマンド計画の実行を制御する。
【０１７０】
機器制御部１１０は、必ずしもｎ台全てのエネルギー消費機器１５１〜１５ｎと通信をして自動制御するわけではない。家には、利用者によるマニュアル操作しか出来ないエネルギー消費機器もあれば、機器制御部１１０による制御が可能であっても自動制御をしない設定にされているエネルギー消費機器もあるとする。
【０１７１】
本実施の形態の場合、各エネルギー消費機器が、制御可能な機器か否か、または、自動制御の対象か否かを示す情報が、スペック情報の一部として機器情報保持部１０３に保持されている。
【０１７２】
また、本実施の形態の入力部１０５には、デマンド制御要求の他に利用者によってエネルギー消費機器に対する制御指示が入力される。
【０１７３】
入力部１０５から、エネルギー消費機器の制御指示を入力すると、入力された制御指示は、機器制御部１１０により受信される。機器制御部１１０は、受信した制御指示に基づいて、エネルギー消費機器を制御する。
【０１７４】
なお、機器観測部１０１、機器情報保持部１０３、機器特定部１０４、入力部１０５、デマンド計画生成部１０６、スマート情報重畳部１０７、出力部１０８と同様に、上述の計画実行部１０９および機器制御部１１０も、実際には、単数または複数のＣＰＵと複数のメモリデバイスとによって構成される。
【０１７５】
ＣＰＵがメモリデバイスに格納されたプログラムを実行し、メモリデバイス上のメモリ領域に読み出し可能な形態で情報を格納することで、機器観測部１０１、機器情報保持部１０３、機器特定部１０４、デマンド計画生成部１０６、スマート情報重畳部１０７の機能と共に、計画実行部１０９、機器制御部１１０のそれぞれの機能も実現される。
【０１７６】
図９は、本実施の形態のエネルギーマネジメントシステムの動作を示すシーケンス図である。
【０１７７】
機器観測部１０１による機器観測処理２０１から、提示データが重畳された画像データ２１７を出力部１０８が、液晶ディスプレイ又はスピーカを用いて出力する処理までのシーケンスは、実施の形態１と同じである。
【０１７８】
本実施の形態の場合、デマンド計画生成部１０６は、提示情報２０７をスマート情報重畳部１０７へ送信する他に、生成したデマンド計画２２１を計画実行部１０９へ送信する。
【０１７９】
この際、デマンド計画に基づいて自動制御を行う設定になっているエネルギー消費機器に関するデマンド計画２２１が送信される。
【０１８０】
デマンド計画２２１を受信した計画実行部１０９は、デマンド計画２２１の内容に基づいてエネルギー消費機器が動作するように機器制御部１１０へ制御指示２２３を送信する（計画実行処理２２２）。
【０１８１】
機器制御部１１０は、受信した制御指示２２３に対応する制御信号２２５を、それぞれのエネルギー消費機器へ送信し、エネルギー消費機器を制御する（機器制御処理２２４）。
【０１８２】
このようにして、デマンド計画に基づいて自動制御されるエネルギー消費機器の場合、デマンド計画と実際の動作状況との差異は比較的少ないことになる。
【０１８３】
つまり、自動制御対象のエネルギー消費機器の場合には、デマンド計画を基に自動制御される。このため、自動制御の対象でないエネルギー消費機器に比べると、利用者に対して効果的なエネルギー消費機器の使用の仕方を促す必要性が比較的低い。
【０１８４】
そこで、本実施の形態のスマート情報重畳部１０７では、自動制御対象のエネルギー消費機器の提示データよりも、自動制御の対象でないエネルギー消費機器の提示データを優先して重畳する。
【０１８５】
本実施の形態のスマート情報重畳部１０７の内部構成は、実施の形態１と同じである。但し、提示要否判定部３０１による提示要否判定処理と、提示データ生成部３０２による提示データ生成処理とに先述の各実施の形態に対する特徴がある。
【０１８６】
図１０は、本実施の形態の提示要否判定部３０１による提示要否判定処理のフローチャートである。
【０１８７】
まず、提示要否判定部３０１は、画像データの中の、特定された、自動制御の対象でないエネルギー消費機器の機器数Ｎｍ（Ｎｍは０以上の整数）と、自動制御対象のエネルギー消費機器の機器数Ｎａ（Ｎａは０以上の整数）とをそれぞれカウントする（ステップＳ１００１）。
【０１８８】
次に、特定された各エネルギー消費機器に関して、デマンド計画と現状との差異を定量化する（ステップＳ１００２）。
【０１８９】
次に、提示データの最大提示数Ｍ（Ｍは１以上の整数）と、自動制御の対象でないエネルギー消費機器の機器数Ｎｍを比較する（ステップＳ１００３）。
【０１９０】
Ｎｍ＞Ｍの場合には、画像データの中における、特定された、自動制御の対象でないエネルギー消費機器の数が最大提示数Ｍよりも多いということになる。この為、画像データの中に特定された、自動制御の対象でない複数のエネルギー消費機器の中から、Ｍ台のエネルギー消費機器を選択する。つまり、ステップＳ１００２で算出した、デマンド計画と現状との差異ΔＥがより大きいものから順にＭ台のエネルギー消費機器を選択する。そして、それらのＭ台のエネルギー消費機器に関する提示データを要提示と判定して提示要否判定処理を完了する（ステップＳ１００４）。
【０１９１】
また、Ｎｍ≦Ｍの場合には、画像データの中に特定された、自動制御の対象でないエネルギー消費機器の数が最大提示数Ｍ以下であることから、画像データの中に特定されたＮｍ台のエネルギー消費機器に関する提示データを要提示と判定する（ステップＳ１００５）。
【０１９２】
次に、提示要否判定部３０１は、自動制御対象のＮａ台のエネルギー消費機器から、ステップＳ１００２で算出したデマンド計画と現状との差異ΔＥがより大きいものから順に、最大でＭ−Ｎｍ台の機器を選択して、要提示と判定して、提示要否判定処理を完了する（ステップＳ１００６）。
【０１９３】
また、本実施の形態の提示データ生成部３０２は、実施の形態１の場合と同様に、画像データや音声データ、テキストデータ、動画データ等が含まれる提示データを生成する。但し、自動制御対象のエネルギー消費機器と、自動制御の対象でないエネルギー消費機器とで区別な可能な態様の提示データを生成する。具体的には、自動制御対象のエネルギー消費機器の場合には、自動制御が行われていることを示すアイコン画像が含まれる提示データが生成される。
【０１９４】
図１１は、本実施の形態における出力部１０８による出力の一例を示している図である。
【０１９５】
図１１では、携帯端末５００の、液晶ディスプレイ５１１と、スピーカ５１２と、携帯端末５００のＣＰＵ上で実行される表示アプリケーション（図示されていない）及び音声再生アプリケーション（図示されていない）とを、出力部１０８として構成した場合の一例が示される。
【０１９６】
また、図１１の例では、提示データの最大提示数Ｍが２の場合で、エネルギー消費機器（テレビ）１５１と、エネルギー消費機器（照明）１５３とが自動制御対象であり、エネルギー消費機器（エアコン）１５２が、自動制御の対象ではない。この例では、エネルギー消費機器（エアコン）１５２と、エネルギー消費機器（照明）１５３との提示データが、要提示と判断された場合の一例を示している。
【０１９７】
この場合、液晶ディスプレイ５１１には、表示アプリケーションによって、エネルギー消費機器（照明）１５３の提示データとして、自動制御が行われていることを示すアイコン画像１１０３が重畳されて表示される。また、エネルギー消費機器（エアコン）１５２の提示データとして、エネルギー消費機器（エアコン）１５２を視覚的に強調する画像データ５０１や、「設定温度を２８℃に上げて下さい！」といったテキストデータ５０２が重畳されて表示される。
【０１９８】
また、利用者が、液晶ディスプレイ５１１と一体化されているタッチパネル上で、エネルギー消費機器（照明）１５３をタップすると、音声再生アプリケーションによって、「自動制御中です！」という音声が、スピーカ５１２から出力される。
【０１９９】
また、エネルギー消費機器（エアコン）１５２をタップすると、音声再生アプリケーションによって、「設定温度を２８℃に上げて下さい！」という音声が、スピーカ５１２から出力される。
【０２００】
このように、本実施の形態では、画像データ２１５に、自動制御対象のエネルギー消費機器の提示データよりも、自動制御の対象でないエネルギー消費機器の提示データの方がより優先されて、重畳される。この場合、提示データが利用者に視認されて、デマンド制御要求を達成する上でより効果的な、自動制御の対象でないエネルギー消費機器の提示データの内容が優先的に提示される。これにより、その提示データの制御内容のための操作が、より確実に、利用者によって実施されることが期待できる。
【０２０１】
また、本実施の形態では、自動制御が行われていることを示すアイコン画像１１０３のように、自動制御対象のエネルギー消費機器と、自動制御の対象でないエネルギー消費機器との間の区別が可能な態様の提示データが生成される。
【０２０２】
この場合、利用者が、自動制御対象のエネルギー消費機器と、自動制御の対象でないエネルギー消費機器とを単に区別できるだけでなく、自動制御対象のエネルギー消費機器に関しては、デマンド計画に基づく制御が自動的に行われているという安心感を利用者に与えることが出来る。
【０２０３】
なお、本実施の形態の重畳処理部３０３は、特定情報付き画像データ２１５に、提示データと共に、リモコンアプリケーションの活性化ボタンを重畳させるようにしてもよい。
【０２０４】
この場合、リモコンアプリケーションは、エネルギー消費機器の遠隔制御を行うアプリケーションであり、利用者が、画像データに重畳された活性化ボタンを押下することで、対応するエネルギー消費機器に関するリモコン操作が受付状態になる。
【０２０５】
リモコン操作は、液晶ディスプレイ５１１と一体化されているタッチパネルによって画面に表示されるメニュー画面から入力されるようにしても良いが、入力部１０５の音声マイクによって音声で入力されるのが比較的望ましい。
【０２０６】
入力部１０５の音声認識アプリケーションによって認識された制御指示が機器制御部１１０に送信され、機器制御部１１０が受信した制御指示に基づいてエネルギー消費機器を制御する。
【０２０７】
この場合、利用者は、エネルギー消費機器に、デマンド計画に基づく提示データが重畳された画面を見ながら、リモコン操作ができる。つまり、エアコンの設定温度の調整や運転モードの切り替え、照明の明るさの調整、さらには、オン／オフ操作などの、エネルギー消費機器のリモコン操作ができるようになり、利便性が更に向上する。
【０２０８】
（実施の形態４）
本実施の形態のエネルギーマネジメントシステムは、実施の形態３に対して、さらに、提示データの提示優先度に応じて、詳細レベルの異なる提示データを重畳する点に特徴がある。本実施の形態では、デマンド計画と現状との差異が大きいエネルギー消費機器に関する提示データほど、利用者への提示優先度が高いものとする。
【０２０９】
また、本実施の形態では、提示データの詳細レベルに、比較的、詳細な情報が提示される「詳細表示」と、比較的、簡易な情報が提示される「簡易表示」の２つのレベルを設ける。前者の「詳細表示」のレベルは、利用者への提示優先度が高い提示データに、優先して割り当てられる。
【０２１０】
但し、本実施の形態の基本構成は、実施の形態３と共通であるから、実施の形態３と共通する構成要素には、適宜、同一の符号を付して、図示並びに詳しい説明を省略する。
【０２１１】
図１２Ａ、図１２Ｂ及び図１２Ｃのそれぞれは、本実施の形態における提示要否判定部３０１による提示要否判定処理のフローチャートの一部を示している図である。
【０２１２】
まず、提示要否判定部３０１は、画像データの中の特定された、自動制御の対象でないエネルギー消費機器の機器数Ｎｍ（Ｎｍは０以上の整数）と、自動制御対象のエネルギー消費機器の機器数Ｎａ（Ｎａは０以上の整数）とのそれぞれをカウントする（ステップＳ１２０１）。
【０２１３】
次に、特定された各エネルギー消費機器に関して、デマンド計画と現状との差異を定量化する（ステップＳ１２０２）。
【０２１４】
次に、提示データの最大詳細提示数Ｍｄ（Ｍｄは１以上の整数）と、自動制御の対象でないエネルギー消費機器の機器数Ｎｍとを比較する（ステップＳ１２０３）。
【０２１５】
Ｎｍ＞Ｍｄの場合には、画像データの中に特定されたエネルギー消費機器の数が、最大詳細提示数Ｍｄよりも多いということになる為、Ｍｄ台のエネルギー消費機器を選択する。つまり、画像データの中に特定された、自動制御の対象でないエネルギー消費機器の中から、ステップＳ１２０２で算出した、デマンド計画と現状との差異ΔＥがより大きいものから順にＭｄ台のエネルギー消費機器を選択する。それらのＭｄ台のエネルギー消費機器に関する提示データを、要詳細提示と判定し（ステップＳ１２０４）、ステップＳ１２０６へ進む。
【０２１６】
また、Ｎｍ≦Ｍｄの場合には、画像データの中の、特定された、自動制御の対象でないエネルギー消費機器の数が最大詳細提示数Ｍｄ以下であることから、画像データの中に特定された、自動制御の対象でないＮｍ台のエネルギー消費機器に関する提示データを要詳細提示と判定し（ステップＳ１２０５）、ステップＳ１２１０へ進む。
【０２１７】
ステップＳ１２０６では、提示データの残最大提示数Ｍ−Ｍｄ（ＭはＭｄ以上の整数、最大提示数を示す）と、自動制御の対象でないエネルギー消費機器の残機器数Ｎｍ−Ｍｄとを比較する。
【０２１８】
ここで、残最大提示数Ｍ−Ｍｄは、提示データの最大提示数Ｍから、「詳細表示」のレベルで表示される数を除いたものあり、「簡易表示」のレベルの提示データでの表示が可能な数を示す。
【０２１９】
また、残機器数Ｎｍ−Ｍｄは、画像データの中の、特定された、自動制御の対象でないエネルギー消費機器の機器数Ｎｍから、「詳細表示」のレベルで表示されるエネルギー消費機器の数を除いた数である。つまり、このＮｍ―Ｍｄは、提示データの、「簡易表示」のレベルでの表示の候補となるエネルギー消費機器の数を示す。
【０２２０】
Ｎｍ−Ｍｄ＞Ｍ−Ｍｄの場合には、残機器数Ｎｍ−Ｍｄが、残最大提示数Ｍ−Ｍｄよりも多いということになる。この為、残りのＮｍ−Ｍｄ台のエネルギー消費機器の中から、ステップＳ１２０２で算出したデマンド計画と現状との差異ΔＥがより大きいものから順にＭ−Ｍｄ台のエネルギー消費機器を選択する。選択されたそれらのエネルギー消費機器に関する提示データを要簡易提示と判定して提示要否判定処理を完了する（ステップＳ１２０７）。
【０２２１】
また、Ｎｍ−Ｍｄ≦Ｍ−Ｍｄの場合には、残機器数Ｎ−Ｍｄが残最大提示数Ｍ−Ｍｄ以下であることから、残りのＮｍ−Ｍｄ台のエネルギー消費機器に関する提示データを要簡易提示と判定する（ステップＳ１２０８）。
【０２２２】
次に、提示要否判定部３０１は、自動制御対象のＮａ台のエネルギー消費機器から、ステップＳ１２０２で算出したデマンド計画と現状との差異ΔＥがより大きいものから順に、最大でＭ−Ｎｍ台の機器を選択して、要簡易提示と判定して提示要否判定処理を完了する（ステップＳ１２０９）。
【０２２３】
ステップＳ１２１０では、提示データの残最大詳細提示数Ｍｄ−Ｎｍ（Ｍｄは１以上の整数）と、自動制御対象の機器数Ｎａとを比較する。
【０２２４】
Ｎａ＞Ｍｄ−Ｎｍの場合には、画像データの中に特定された、自動制御対象のエネルギー消費機器の数が残りの最大詳細提示数Ｍｄ−Ｎｍよりも多いということになる。この為、ステップＳ１２０２で算出した、デマンド計画と現状との差異ΔＥがより大きいものから順に、Ｍｄ−Ｎｍ台のエネルギー消費機器を選択する。それらのＭｄ−Ｎｍ台のエネルギー消費機器に関する提示データを要詳細提示と判定し（ステップＳ１２１１）、ステップＳ１２１３へ進む。
【０２２５】
また、Ｎａ≦Ｍｄ−Ｎｍの場合には、画像データの中に特定された自動制御対象のエネルギー消費機器の数が、残りの最大詳細提示数Ｍｄ−Ｎｍ以下である。このことから、画像データの中に特定されたＮａ台のエネルギー消費機器に関する提示データを要詳細提示と判定して提示要否判定処理を完了する（ステップＳ１２１２）。
【０２２６】
ステップＳ１２１３では、提示データの残最大提示数Ｍ−Ｍｄ（ＭはＭｄ以上の整数、最大提示数を示す）と、残機器数Ｎ−Ｍｄとを比較する。
【０２２７】
Ｎ−Ｍｄ＞Ｍ−Ｍｄの場合には、残機器数Ｎ−Ｍｄが残最大提示数Ｍ−Ｍｄよりも多いということになる。この為、残りのＮ−Ｍｄ台の自動制御対象のエネルギー消費機器の中から、ステップＳ１２０２で算出したデマンド計画と現状との差異ΔＥがより大きいものから順にＭ−Ｍｄ台のエネルギー消費機器を選択する。それらのＭ−Ｍｄ台のエネルギー消費機器に関する提示データを要簡易提示と判定して提示要否判定処理を完了する（ステップＳ１２１４）。
【０２２８】
また、Ｎ−Ｍｄ≦Ｍ−Ｍｄの場合には、残機器数Ｎ−Ｍｄが残最大提示数Ｍ−Ｍｄ以下であることから、残りのＮ−Ｍｄ台の自動制御対象のエネルギー消費機器に関する提示データを要簡易提示と判定して提示要否判定処理を完了する（ステップＳ１２１５）。
【０２２９】
また、本実施の形態の提示データ生成部３０２は、実施の形態１の場合と同様に、画像データや音声データ、テキストデータ、動画データ、等が含まれる提示データを生成する。
【０２３０】
但し、自動制御対象のエネルギー消費機器と、自動制御の対象でないエネルギー消費機器とで区別な可能な態様の提示データを生成する。
【０２３１】
また、提示要否判定部３０１が要詳細提示と判定した提示データに関しては、「詳細表示」のレベルで表示される提示データを生成し、提示要否判定部３０１が要簡易提示と判定した提示データに関しては、「簡易表示」のレベルで表示される提示データを生成する。
【０２３２】
図１３は、本実施の形態における提示データが重畳された画像データ２１７が、出力部１０８に出力された一例を示している図である。
【０２３３】
この図１３では、携帯端末５００の液晶ディスプレイ５１１と、スピーカ５１２と、携帯端末５００のＣＰＵ上で実行される表示アプリケーション（図示されていない）及び音声再生アプリケーション（図示されていない）とを出力部１０８として構成した場合の一例を示している。
【０２３４】
この図１３の場合は、提示データの最大提示数Ｍが３、最大詳細提示数Ｍｄが２の場合で、エネルギー消費機器（テレビ）１５１と、エネルギー消費機器（照明）１５３とが自動制御対象である。この場合には、エネルギー消費機器（エアコン）１５２が自動制御の対象ではなく、エネルギー消費機器（エアコン）１５２とエネルギー消費機器（照明）１５３との提示データが要詳細提示、エネルギー消費機器（テレビ）１５１の提示データが要簡易提示とそれぞれ判断された場合の一例を示している。
【０２３５】
液晶ディスプレイ５１１には、自動制御の対象ではなく、要詳細表示と判定されたエネルギー消費機器（エアコン）１５２に関しては、提示データとして、エネルギー消費機器（エアコン）１５２を視覚的に強調する画像データ５０１と、「設定温度を２８℃に上げて下さい！」といったテキストデータ５０２とが重畳されて表示される。
【０２３６】
また、液晶ディスプレイ５１１には、自動制御対象で、要詳細表示と判定されたエネルギー消費機器（照明）１５３に関しては、提示データとして、自動制御が行われていることを示すアイコン画像１１０３と、「自動制御中！１５％省エネになりました」といったテキストデータ５０２とが重畳されて表示される。
【０２３７】
また、液晶ディスプレイ５１１には、自動制御対象で要簡易表示と判定されたエネルギー消費機器（テレビ）１５１に関しては、自動制御が行われていることを示すアイコン画像１１０４が重畳されて表示される。
【０２３８】
このように、本実施の形態では、自動制御対象のエネルギー消費機器の提示データよりも、自動制御の対象でないエネルギー消費機器の提示データの方が優先されて、提示される。さらに、デマンド計画と現状との差異が比較的大きいエネルギー消費機器に対して、詳細レベルの高い提示データを重畳する。このことで、提示データの中でも、デマンド計画と現状の動作状況との間の差異が比較的大きいエネルギー消費機器に関する提示データ、つまり、実施された場合に効果が高い制御内容の提示データの視認性が向上する。
【０２３９】
その為、出力部１０８が出力するデータに重畳された提示データが、利用者に視認されて、デマンド制御要求を達成する上でより効果的な提示データの制御内容のための操作が、利用者により、より確実に実施されることが期待できる。
【０２４０】
つまり、デマンド制御要求を達成する上でより効果的なエネルギー消費機器の使用の仕方を利用者に対して促すことが出来る。
【０２４１】
なお、上記では、提示データの詳細レベルとして、２つのレベルを設けたが、３つ以上のレベルを設けるようにしても良い。
【０２４２】
（実施の形態５）
本実施の形態のエネルギーマネジメントシステムは、カメラ部１０２をエネルギー消費機器に向けて撮影していなくても、デマンド計画に基づく提示データが、エネルギー消費機器が映し出された画像データに重畳されて見られる点に特徴がある。
【０２４３】
但し、本実施の形態を構成する構成要素には、実施の形態３と共通部分が多く、適宜、実施の形態３と共通する構成要素には同一の符号を付して、図示並びに詳しい説明を適宜、省略する。
【０２４４】
図１４は、本実施の形態のエネルギーマネジメントシステムのシステム構成図である。
【０２４５】
本実施の形態のエネルギーマネジメントシステムは、ｎ台のエネルギー消費機器１５１〜１５ｎと、ホーム・マネジメント部１４０１、モバイル・マネジメント部１４０２、及び、サーバ・マネジメント部１４０３の３つの部分とを備える。エネルギー消費機器１５１〜１５ｎが消費するエネルギーを管理するマネジメント部１００は、上述の３つの部分を備える。
【０２４６】
ホーム・マネジメント部１４０１は、家に設置される機器として、機器観測部１０１と、計画実行部１０９と、機器制御部１１０と、モバイル・マネジメント部１４０２およびサーバ・マネジメント部１４０３のそれぞれとの通信を行う通信部１４１１とを備える。
【０２４７】
モバイル・マネジメント部１４０２は、利用者が持ち運べる形態の携帯端末として、カメラ部１０２と、機器特定部１０４と、入力部１０５と、スマート情報重畳部１０７と、出力部１０８と、ホーム・マネジメント部１４０１およびサーバ・マネジメント部１４０３のそれぞれとの通信を行う通信部１４１２とを備える。
【０２４８】
サーバ・マネジメント部１４０３は、コンピュータ・サーバ装置として、機器情報保持部１０３と、デマンド計画生成部１０６と、ホーム・マネジメント部１４０１およびモバイル・マネジメント部１４０２のそれぞれとの通信を行う通信部１４１３とを備える。図８のマネジメント部１００の具体的な態様としては、例えば、この図１４のマネジメント部１００の態様が挙げられる。
【０２４９】
通信部１４１１、１４１２、１４１３は、有線または無線によって通信可能な形態で、互いに接続されている。
【０２５０】
図１５は、本実施の形態におけるスマート情報重畳部１０７の内部構成を示している図である。
【０２５１】
本実施の形態におけるスマート情報重畳部１０７は、提示要否判定部３０１と、提示データ生成部３０２と、重畳処理部３０３との他に、更に次の各部分を備える。
【０２５２】
その各部分とは、機器特定部１０４によって機器特定情報が付加された画像データを保持する画像データ保持部１５０４と、提示要否判定部３０１と提示データ生成部３０２と重畳処理部３０３とに入力される画像データを切換えることで、提示データを重畳する画像データを切替える切替部１５０５である。
【０２５３】
画像データ保持部１５０４には、画像データが保持される。この画像データは、家に設置されているエネルギー消費機器を、部屋毎または機器毎に、カメラ部１０２で撮影した画像データである。この画像データは、機器特定部１０４によって機器特定情報が付加された形態で予め保持されている。
【０２５４】
なお、画像データ保持部１５０４に保持されている画像データの属性情報には、撮影をした場所の位置情報が含まれている。この位置情報は、ＧＰＳ（Global Positioning System）機能などの位置情報取得機能を利用して取得される。図１４には示していないが、位置情報取得機能は、モバイル・マネジメント部１４０２を構成する携帯端末が備えている。
【０２５５】
切替部１５０５は、画像データ保持部１５０４に保持されている画像データを読み出し、また、機器特定部１０４から送信される機器特定情報付き画像データを受信する。この切替部１５０５は、利用者によって入力部１０５から入力される切替指示１６１５に基づいて、提示要否判定部３０１と、提示データ生成部３０２と、重畳処理部３０３とに出力する上述の画像データを切替える。つまり、切替指示１６１５は、画像データ保持部１５０４に保持されている画像データを含む選択候補の中から、提示要否判定部３０１等に出力する画像データを選択するための情報である制御モードを含む。
【０２５６】
なお、切替指示１６１５は、さらに、画像データ保持部１５０４に保持されている画像データを提示要否判定部３０１等に出力するか、又は、カメラ部１０２で撮影された画像データ等を提示要否判定部３０１等に出力するかを指定する情報を、制御モードに含んでもよい。例えば、切替指示１６１５が制御モードとして「保持画像モード」を含む場合には、画像データ保持部１５０４に保持されている画像データを提示要否判定部３０１等に出力する。また、切替指示１６１５が制御モードとして「カメラモード」を含む場合には、カメラ部１０２で撮影された画像データ等を提示要否判定部３０１等に出力する。
【０２５７】
例えば、切替部１５０５が、画像データ保持部１５０４に保持されている機器特定情報付き画像データに切替える場合がある。この場合には、画像データ保持部１５０４に保持されていた、家に設置されているエネルギー消費機器を撮影した画像データに、デマンド計画に基づく提示データを重畳した画像データが見られるようになる。この場合、カメラ部１０２を、エネルギー消費機器に常に向けていなくても、デマンド計画に基づく提示データを、実際のエネルギー消費機器を撮影した画像データに重畳して見られるようになる。
【０２５８】
一方、機器特定部１０４から送信される機器特定情報付き画像データに切替えると、実施の形態３の場合と同じように、現在、カメラ部１０２がエネルギー消費機器を捉えている画像データに、デマンド計画に基づく提示データを重畳して見られるようになる。
【０２５９】
図１６は、本実施の形態のエネルギーマネジメントシステムの動作のシーケンス図である。
【０２６０】
この図１６における、機器観測部１０１による機器観測処理２０１から、デマンド計画に基づく制御信号２２５がエネルギー消費機器に送信されるまでのシーケンス、および、カメラ部１０２による撮影処理２１１から、スマート情報重畳部１０７に特定情報付き画像データ２１５が送信されるまでのシーケンスは、実施の形態３と同じである。
【０２６１】
本実施の形態の場合、提示データを重畳させる画像データを切り替える切替指示１６１５が、利用者によって入力部１０５から入力されると（入力処理１６０２）、入力された内容を示す情報である切替指示１６１５はスマート情報重畳部１０７へ送信される。
【０２６２】
切替指示１６１５を受信したスマート情報重畳部１０７は、切替部１５０５が切替指示１６１５に基づいて、提示要否判定部３０１と、提示データ生成部３０２と、重畳処理部３０３とに出力する画像データを切替える。
【０２６３】
スマート情報重畳部１０７は、切替部１５０５が切替えた画像データに対して実施の形態３と同様のスマート重畳処理１６１６を行う。
【０２６４】
スマート情報重畳部１０７は、スマート重畳処理１６１６を施し、提示データが重畳された画像データ１６１７を出力部１０８へ送信する。
【０２６５】
出力部１０８は、提示データを重畳した画像データ１６１７を、液晶ディスプレイやスピーカを用いて出力する（出力処理１６１８）。
【０２６６】
図１７Ａ、図１７Ｂ及び図１７Ｃのそれぞれは、本実施の形態における、提示データが重畳された画像データ１６１７が、出力部１０８の液晶ディスプレイ５１１に出力された一例を示している図である。
【０２６７】
図１７Ａは、入力部１０５から入力された切替指示１６０２に基づき、切替部１５０５が、提示データを重畳する画像データを、リビングルームを撮影した画像データに切り替えた場合を示す。
【０２６８】
図１７Ａの場合、出力部１０８の液晶ディスプレイには、リビングルームのエネルギー消費機器（照明）とエネルギー消費機器（エアコン）とエネルギー消費機器（テレビ）とが表示される。
【０２６９】
さらに、エネルギー消費機器（エアコン）に関しては、提示データとして、エネルギー消費機器（エアコン）を視覚的に強調する画像データ１１０１と、「設定温度を２８℃に上げて下さい！」といったテキストデータ１１０２とが重畳されて表示される。
【０２７０】
また、さらに、エネルギー消費機器（照明）に関しては、提示データとして、自動制御が行われていることを示すアイコン画像１１０３が重畳されて表示される。
【０２７１】
また、図１７Ｂは、入力部１０５から入力された切替指示１６０２に基づき、切替部１５０５が、提示データを重畳する画像データとして、寝室１を撮影した画像データに切り替えた場合を示す。
【０２７２】
図１７Ｂの場合、出力部１０８の液晶ディスプレイには、寝室１のエネルギー消費機器（照明）とエネルギー消費機器（エアコン）とエネルギー消費機器（テレビ）とが表示される。
【０２７３】
さらに、エネルギー消費機器（エアコン）に関しては、提示データとして、エネルギー消費機器（エアコン）を視覚的に強調する画像データ１１０１と、「設定温度を２８℃に上げて下さい！」といったテキストデータ１１０２とが重畳されて表示される。
【０２７４】
また、さらに、エネルギー消費機器（照明）に関しては、提示データとして、自動制御が行われていることを示すアイコン画像１１０３が重畳されて表示される。
【０２７５】
また、図１７Ｃは、入力部１０５から入力された切替指示１６０２に基づき、切替部１５０５が、提示データを重畳する画像データを、寝室２を撮影した画像データに切り替えた場合を示す。
【０２７６】
図１７Ｃの場合、出力部１０８の液晶ディスプレイには、寝室２のエネルギー消費機器（照明）と、エネルギー消費機器（エアコン）とが表示される。
【０２７７】
さらに、エネルギー消費機器（エアコン）に関しては、提示データとして、エネルギー消費機器（エアコン）を視覚的に強調する画像データ１１０１と、「設定温度を２８℃に上げて下さい！」といったテキストデータ１１０２とが重畳されて表示される。
【０２７８】
また、さらに、エネルギー消費機器（照明）に関しては、提示データとして、自動制御が行われていることを示すアイコン画像１１０３が重畳されて表示される。
【０２７９】
なお、入力部１０５において、切替指示１６１５が、タッチパネル上でのフリック操作に対応付けられて入力されるようにしてもよい。
【０２８０】
この場合、フリック操作に対して、切替部１５０５は、提示要否判定部３０１と提示データ生成部３０２と重畳処理部３０３とに出力する画像データを順次切替える。
【０２８１】
携帯端末５００の液晶ディスプレイ５１１に表示される写真データを切り替える場合と同様の操作感覚で、提示データを重畳する画像データを切り替えられるようになり、比較的簡単に切り替えができる。
【０２８２】
このように、本実施の形態では、カメラ部１０２を常にエネルギー消費機器に向けて撮影していなくても、デマンド計画に基づく提示データが、エネルギー消費機器が映し出された画像データに重畳されて見られる。
【０２８３】
つまり、利用者はそれぞれの部屋に行かなくても、デマンド計画に基づく提示データが、各部屋のエネルギー消費機器が映し出された画像データに重畳されて見られる。
【０２８４】
また、家に居なくても外出先から、デマンド計画に基づく提示データが、各部屋のエネルギー消費機器が映し出された画像データに重畳されて見られるようになり、利用者の利便性が向上する。
【０２８５】
また、携帯端末５００を、提示データが重畳された画像データを表示するモードにした際に、次の動作がされてもよい。つまり、デマンド計画と現状との差異が最も大きいエネルギー消費機器が映し出された画像データに、提示データが重畳されたデータが、最初に出力されるようにしても良い。
【０２８６】
この場合、スマート情報重畳部１０７は、提示情報に含まれるデマンド計画と機器状態情報とから、デマンド計画と現状との差異が最も大きいエネルギー消費機器を特定する。切替部１５０５において、こうして特定したエネルギー消費機器が映し出された画像データに切り替える処理を行う。
【０２８７】
これにより、最初に、デマンド計画と現状との差異が最も大きいエネルギー消費機器に関する提示データ、つまり、実施された場合に効果が高い提示データが利用者に提示される。このことで、利用者に視認されて、デマンド制御要求を達成する上で効果的な提示データの制御内容のための操作が、更に確実に実施されることが期待できる。
【０２８８】
また、上記では、入力部１０５から入力される切替指示１６０２に基づき切替部１５０５が画像データの切り替えを行うとしたが、切替部１５０５が時間情報または位置情報に基づいて、画像データを自動的に切り替えるようにしてもよい。
【０２８９】
例えば、時間情報に基づいて切り替える場合、切替部１５０５は、提示要否判定部３０１と提示データ生成部３０２と重畳処理部３０３とに出力する画像データを、所定の時間間隔で順次切替える。
【０２９０】
この場合、スライドショーのような感覚で、画像データ保持部１５０４に保持されている画像データに提示データが重畳された画像データが、出力部１０８から出力されることになる。
【０２９１】
また、例えば、位置情報に基づいて切り替える場合、切替部１５０５は、利用者の位置情報に基づいて、提示要否判定部３０１と提示データ生成部３０２と重畳処理部３０３とに出力する画像データを、撮影場所が利用者の現在位置に近い画像データに自動的に切り替える。
【０２９２】
この時、切替部１５０５は、画像データ保持部１５０４に保持されている画像データの属性情報の中の位置情報を比較し、位置情報が利用者（携帯端末５００を所持している利用者）の現在位置に最も近い画像データに切り替える。
【０２９３】
この場合、例えば、利用者がリビングルームから寝室に移動した場合には、リビングルームを撮影した画像データから寝室を撮影した画像データに切り替わり、寝室を撮影された画像データに提示データが重畳された画像データが出力部１０８から出力されることになる。
【０２９４】
なお、本実施の形態の重畳処理部３０３は、画像データ保持部１５０４から読み出される特定情報付き画像データに提示データと共に、リモコンアプリケーションの活性化ボタンを重畳させるようにしてもよい。
【０２９５】
この場合、利用者が画像データに重畳された活性化ボタンを押下することで、対応するエネルギー消費機器に関するリモコン操作が受付状態になる。
【０２９６】
リモコン操作は、液晶ディスプレイ５１１と一体化されているタッチパネルによって画面に表示されるメニュー画面から入力されるようにしても良いが、入力部１０５の音声マイクによって音声で入力されるのが比較的望ましい。
【０２９７】
入力部１０５の音声認識アプリケーションによって認識された制御指示が通信部を介して機器制御部１１０に送信され、機器制御部１１０が、受信した制御指示に基づいてエネルギー消費機器を制御する。
【０２９８】
この場合、利用者は外出先で、エネルギー消費機器に、デマンド計画に基づく提示データが重畳された画面を見ながら、リモコン操作ができる。つまり、各部屋のエアコンの設定温度の調整や運転モードの切り替え、照明の明るさの調整、さらには、オン／オフ操作などの、エネルギー消費機器のリモコン操作ができるようになり、利便性が更に向上する。
【０２９９】
（実施の形態６）
本実施の形態のエネルギーマネジメントシステムは、複数のデマンド計画を生成し、利用者が選択したデマンド計画に基づく提示データが重畳される点に特徴がある。
【０３００】
本実施の形態の基本構成は実施の形態３と共通部分が多く、実施の形態３と共通する構成要素には適宜、同一の符号を付して図示並びに詳しい説明を省略する。
【０３０１】
図１８は、本実施の形態のエネルギーマネジメントシステムのシステム構成を示している。
【０３０２】
本実施の形態では、デマンド計画生成部１８０６が複数のデマンド計画を生成する。
【０３０３】
デマンド計画生成部１８０６は、例えば、特許文献２の段落［００７８］から段落［０１０６］に記載されているシミュレーション実行部が削減プランを生成する方法に基づいて、複数のデマンド計画を生成する。
【０３０４】
デマンド計画生成部１８０６は、現状の機器構成と複数の制御パターンとの組み合わせに関してシミュレーションを行い、そのシミュレーションの結果を評価して、デマンド制御要求（特許文献２における削減目標に相当）を満たす結果が得られる複数の制御パターンを導出する。導出された複数の制御パターンの内容のそれぞれをデマンド計画とすることで複数のデマンド計画が生成される。
【０３０５】
デマンド計画生成部１８０６は、さらに、生成した複数のデマンド計画を含む提示情報を生成し、スマート情報重畳部１８０７へ送信する。
【０３０６】
利用者によって複数のデマンド計画の中から１つのデマンド計画を選択する操作が行われると、入力部１０５から、選択されたデマンド計画を示す選択指示がスマート情報重畳部１８０７へ送信される。
【０３０７】
スマート情報重畳部１８０７は、入力部１０５から受信した選択指示が示すデマンド計画に対応するデマンド計画を選択し、選択したデマンド計画に基づく提示データを、家のエネルギー消費機器を撮影した画像データに重畳する。
【０３０８】
また、デマンド計画生成部１８０６が生成した複数のデマンド計画は、計画実行部１８０９にも送信される。
【０３０９】
また、入力部１０５からは、選択されたデマンド計画を示す選択指示が計画実行部１８０９にも送信される。計画実行部１８０９は、入力部１０５から受信した選択指示が示すデマンド計画を実行する。
【０３１０】
図１９は、本実施の形態におけるスマート情報重畳部１８０７の内部構成を示している。
【０３１１】
本実施の形態におけるスマート情報重畳部１８０７は、提示要否判定部３０１と提示データ生成部３０２と重畳処理部３０３との他に、特定情報付き画像データ２１５に重畳するデマンド計画を選択するデマンド計画選択部１９０１を備えている。
【０３１２】
デマンド計画選択部１９０１は、入力部１０５から受信した選択指示１０５Ｉに基づいて、デマンド計画生成部１８０６から受信した提示情報に含まれる複数のデマンド計画の中から、特定情報付き画像データ２１５に重畳するデマンド計画を選択する。
【０３１３】
図２０は、本実施の形態のエネルギーマネジメントシステムの動作を示すシーケンス図である。
【０３１４】
機器観測部１０１による機器観測処理２０１から、機器スペック情報２０５がデマンド計画生成部１８０６に送信されるまでのシーケンス、および、カメラ部１０２による撮影処理２１１からスマート情報重畳部１０７に特定情報付き画像データ２１５が送信されるまでのシーケンスは、実施の形態３と同じである。
【０３１５】
本実施の形態の場合、デマンド計画生成部１８０６が、複数のデマンド計画を生成し（デマンド計画生成処理２００６）、生成した複数のデマンド計画を含む提示情報２００７をスマート情報重畳部１８０７へ送信し、さらに、生成した複数のデマンド計画２０２１を計画実行部１８０９へ送信する。
【０３１６】
デマンド計画を選択する選択指示が、利用者によって入力部１０５から入力されると（入力処理２００２）、入力された内容を示す情報である選択指示２０１４、２０１５は計画実行部１８０９とスマート情報重畳部１８０７とへそれぞれ送信される。
【０３１７】
選択指示２０１５を受信したスマート情報重畳部１８０７では、デマンド計画選択部１９０１が選択指示２０１５に基づいて、提示情報２００７に含まれる複数のデマンド計画の中から１つのデマンド計画を選択する。
【０３１８】
スマート情報重畳部１８０７は、選択したデマンド計画に基づく提示データを、機器特定部１０４から受信した特定情報付き画像データ２１５に重畳する（スマート重畳処理２０１６）。
【０３１９】
スマート情報重畳部１８０７は、スマート重畳処理２０１６を施し提示データが重畳された画像データ２０１７を出力部１０８へ送信し、出力部１０８は、提示データを重畳した画像データ２０１７を、液晶ディスプレイやスピーカを用いて出力する（出力処理２０１８）。
【０３２０】
また、選択指示２０１４を受信した計画実行部１８０９は、選択指示２０１５に基づいて、複数のデマンド計画の中から１つのデマンド計画を選択し、選択したデマンド計画の内容に基づいてエネルギー消費機器が動作するように機器制御部１１０へ制御指示を送信する（計画実行処理２０２２）。
【０３２１】
機器制御部１１０は、受信した制御指示２２３に対応する制御信号２２５をそれぞれのエネルギー消費機器へ送信し、エネルギー消費機器を制御する（機器制御処理２２４）。
【０３２２】
図２１Ａ、図２１Ｂ及び図２１Ｃのそれぞれは、本実施の形態における提示データが重畳された画像データ２０１７が、出力部１０８の液晶ディスプレイ５１１に出力された一例を示している。
【０３２３】
液晶ディスプレイ５１１に表示されるエネルギー消費機器は同じであり、図２１Ａ〜図２１Ｃはそれぞれ異なるデマンド計画を選択した場合を示している。
【０３２４】
図２１Ａは、入力部１０５から入力された選択指示２０１５に基づき、デマンド計画選択部１９０１が「プラン１」のデマンド計画を選択した場合を示している。
【０３２５】
この場合の「プラン１」のデマンド計画では、エネルギー消費機器（エアコン）の冷房の設定温度を２８℃にすることになっている。それが現状と異なるために、エネルギー消費機器（エアコン）の提示データとして、エネルギー消費機器（エアコン）を視覚的に強調する画像データ２１０１と「設定温度を２８℃に上げて下さい！」といったテキストデータ２１０２とが重畳されて表示される。
【０３２６】
また、図２１Ｂは、入力部１０５から入力された選択指示２０１５に基づき、デマンド計画選択部１９０１が「プラン２」のデマンド計画を選択した場合を示している。
【０３２７】
この場合の「プラン２」のデマンド計画では、エネルギー消費機器（照明）の明るさの設定をレベル５にすることになっており、それが現状と異なるために、エネルギー消費機器（照明）の提示データとして、エネルギー消費機器（照明）を視覚的に強調する画像データ２１１１と「明るさをレベル５に下げて下さい！」といったテキストデータ２１１２とが重畳されて表示される。
【０３２８】
また、図２１Ｃは、入力部１０５から入力された選択指示２０１５に基づき、デマンド計画選択部１９０１が「プラン３」のデマンド計画を選択した場合を示している。
【０３２９】
この場合の「プラン３」のデマンド計画では、エネルギー消費機器（テレビ）の音量の設定をレベル２０にすることになっており、それが現状と異なるために、エネルギー消費機器（テレビ）の提示データとして、エネルギー消費機器（テレビ）を視覚的に強調する画像データ２１２１と「音量をレベル２０に下げて下さい！」といったテキストデータ２１２２とが重畳されて表示される。
【０３３０】
このように、それぞれのデマンド計画を実施する場合と現状との差異がわかるので、利用者は都合にあったデマンド計画を選択することができ、利用者の利便性が向上する。
【０３３１】
また、利用者にとって無理の少ないデマンド計画を選択できるので、特に自動制御の対象でないエネルギー消費機器のデマンド計画が利用者によって実施される可能性が向上し、デマンド制御要求の達成に繋がる。
【０３３２】
（実施の形態７）
本実施の形態のエネルギーマネジメントシステムは、エネルギー消費機器の買い替えや買い増しなどの、機器構成を変更した場合のデマンド計画も含む複数のデマンド計画を生成し、利用者が選択したデマンド計画に基づく提示データが重畳される点に特徴がある。
【０３３３】
本実施の形態の基本構成は実施の形態６と共通部分が多く適宜、実施の形態６と共通する構成要素には同一の符号を付して図示並びに詳しい説明を省略する。
【０３３４】
図２２は、本実施の形態のエネルギーマネジメントシステムのシステム構成を示している。
【０３３５】
本実施の形態では、各種のエネルギー消費機器のスペック情報および機器特徴情報を保持する機器情報データベース２２３１を備える。この機器情報データベース２２３１は、ネットワーク２２２０を介してマネジメント部１００に接続する。
【０３３６】
本実施の形態のデマンド計画生成部２２０６は、エネルギー消費機器の買い替えや買い増しなどの、機器構成の変更をした場合のデマンド計画も含む複数のデマンド計画を生成する。
【０３３７】
機器情報データベース２２３１には、家に設置されているエネルギー消費機器１５１〜１５ｎはもとより、それ以外の機種のエネルギー消費機器に関するスペック情報および機器特徴情報、さらには、提示データの部品データが保持されている。
【０３３８】
機器情報データベース２２３１には、エネルギー消費機器のスペック情報として、エネルギー消費機器の各種の動作状態におけるエネルギー消費に関する情報がエネルギー消費機器の識別情報に紐付けられて保持されている。
【０３３９】
また、機器情報データベース２２３１には、エネルギー消費機器の機器特徴情報として、エネルギー消費機器のコンピュータグラフィックスデータ（ＣＧデータ）と、エネルギー消費機器の特徴情報とが保持される。つまり、エネルギー消費機器の３次元モデル化されたＣＧデータ、および、エネルギー消費機器が撮影された画像データの中から画像解析によってエネルギー消費機器を特定するための、エネルギー消費機器の特徴情報が保持される。この保持では、エネルギー消費機器の機器特徴情報は、そのエネルギー消費機器の識別情報に紐付けられて保持がされている。
【０３４０】
また、機器情報データベース２２３１には、エネルギー消費機器の提示データの部品データとして、テキストメッセージのテンプレートや、画像データ、音声データ、アニメーションデータなどがエネルギー消費機器の識別情報に紐付けられて保持されている。
【０３４１】
本実施の形態のデマンド計画生成部２２０６は、例えば、特許文献２の段落［００７８］から段落［０１０６］に記載されている、シミュレーション実行部が削減プランを生成する方法に基づいて、複数のデマンド計画を生成する。
【０３４２】
デマンド計画生成部２２０６は、ネットワーク２２２０を介して各種のエネルギー消費機器のスペック情報を取得し、複数の機器構成と複数の制御パターンとの組み合わせに関してシミュレーションを行い、シミュレーションの結果を評価して、デマンド制御要求（特許文献２における削減目標に相当）を満たす結果が得られる複数の制御パターンを導出する。導出されたそれぞれの制御パターンをデマンド計画とすることで複数のデマンド計画が生成される。
【０３４３】
デマンド計画生成部２２０６は、さらに、生成した複数のデマンド計画を含む提示情報を生成し、スマート情報重畳部２２０７へ送信する。
【０３４４】
利用者によって複数のデマンド計画の中から１つのデマンド計画を選択する操作が行われると、入力部１０５から、選択されたデマンド計画を示す選択指示がスマート情報重畳部２２０７へ送信される。
【０３４５】
スマート情報重畳部２２０７は、入力部１０５から受信した選択指示が示すデマンド計画に対応するデマンド計画を選択し、選択したデマンド計画に基づく提示データを、家のエネルギー消費機器を撮影した画像データに重畳する。
【０３４６】
また、デマンド計画生成部２２０６は、生成した複数のデマンド計画の内、対応する機器構成が現状の機器構成と同じデマンド計画を計画実行部１８０９へ送信する。
【０３４７】
入力部１０５からは、選択されたデマンド計画を示す選択指示が計画実行部１８０９へ送信される。計画実行部１８０９は、入力部１０５から受信した選択指示が示すデマンド計画を実行する。
【０３４８】
図２３は、本実施の形態におけるスマート情報重畳部２２０７の内部構成を示している。
【０３４９】
本実施の形態におけるスマート情報重畳部２２０７は、提示データ生成部２３０２の動作が実施の形態６の提示データ生成部３０２の動作と異なるだけで、それ以外は、実施の形態６のスマート情報重畳部１８０７と同じである。
【０３５０】
提示データ生成部２３０２は、提示要否判定部３０１が要提示と判定したエネルギー消費機器が、現状の機器構成に含まれる何れのエネルギー消費機器とも異なる場合、つまり、エネルギー消費機器の買い替えや買い増しを想定したデマンド計画であった場合、次の動作をする。その動作では、現状の機器構成には無いエネルギー消費機器の機器特徴情報を、ネットワーク２２２０を介して機器情報データベース２２３１から取得する。
【０３５１】
提示データ生成部２３０２は、機器情報データベース２２３１から取得した機器特徴情報を用いて、そのエネルギー消費機器の提示データを生成する。
【０３５２】
例えば、エネルギー消費機器の買い替えを促すメッセージと共に、機器特徴情報に含まれるエネルギー消費機器のＣＧデータを用いて、エネルギー消費機器を置き換えた場合の設置状況を示す画像データを生成する。
【０３５３】
提示データ生成部２３０２は、提示要否判定部３０１が要提示と判定したエネルギー消費機器が、現状の機器構成に含まれるあるエネルギー消費機器と同じである場合、提示データ生成部３０２の場合と同じように、画像データや音声データ、テキストデータ、動画データ等が含まれる提示データを生成する。この場合、提示データ生成部２３０２は、デマンド計画と現状との差異と、デマンド計画との割合（Ｅｒ−Ｅｐ）／Ｅｐが所定の割合以上であった場合には、デマンド計画が示す制御内容の実施を促すアドバイスを提示データとして生成する。
【０３５４】
また、デマンド計画と現状との差異と、デマンド計画との割合（Ｅｒ−Ｅｐ）／Ｅｐが所定の割合未満であった場合には、現状の動作状況を示す情報や、デマンド制御要求を達成する上で理想に近い動作状況であることを示す情報を提示データとして生成する。
【０３５５】
図２４は、本実施の形態のエネルギーマネジメントシステムの動作を示すシーケンス図である。
【０３５６】
機器観測部１０１による機器観測処理２０１から、機器スペック情報２０５がデマンド計画生成部１８０６に送信されるまでのシーケンス、および、カメラ部１０２による撮影処理２１１からスマート情報重畳部１０７に特定情報付き画像データ２１５が送信されるまでのシーケンスは、実施の形態６と同じである。
【０３５７】
本実施の形態の場合、デマンド計画生成部２２０６は、デマンド計画生成処理２４０６を行う。この処理では、機器スペック情報２０５の他に、機器情報データベース２２３１から、各種のエネルギー消費機器のスペック情報２４０５を取得する。これにより、エネルギー消費機器の買い替えや買い増しなどの機器構成を変更した場合のデマンド計画も含む複数のデマンド計画を生成する。
【０３５８】
デマンド計画生成部２２０６は、さらに、生成した複数のデマンド計画を含む提示情報２４０７をスマート情報重畳部２２０７へ送信する。
【０３５９】
デマンド計画を選択する選択指示２４１５が、利用者によって入力部１０５から入力されると（入力処理２４０２）、入力された内容を示す情報である選択指示２４１５がスマート情報重畳部２２０７へ送信される。
【０３６０】
選択指示２４１５を受信したスマート情報重畳部２２０７では、デマンド計画選択部１９０１が選択指示２４１５に基づいて、提示情報２４０７に含まれる複数のデマンド計画の中から１つのデマンド計画を選択する。
【０３６１】
さらに、スマート情報重畳部２２０７では、提示データ生成部２３０２が必要に応じて現状の機器構成には無いエネルギー消費機器の機器特徴情報を機器情報データベース２２３１から取得し、取得した機器特徴情報をも用いて提示データを生成する。
【０３６２】
さらに、スマート情報重畳部２２０７は、重畳処理部３０３が生成した提示データを、機器特定部１０４から受信した特定情報付き画像データ２１５に重畳する（スマート重畳処理２４１６）。
【０３６３】
スマート情報重畳部２２０７は、スマート重畳処理２４１６を施し提示データが重畳された画像データ２４１７を出力部１０８へ送信する。
【０３６４】
出力部１０８は、提示データを重畳した画像データ２４１７を、液晶ディスプレイやスピーカを用いて出力する（出力処理２４１８）。
【０３６５】
また、デマンド計画生成部２２０６は、生成した複数のデマンド計画を含む提示情報２４０７をスマート情報重畳部２２０７へ送信し、また、生成した複数のデマンド計画の内、機器構成が現状と同じデマンド計画２４２１を計画実行部１８０９へ送信する。
【０３６６】
デマンド計画を選択する選択指示が、利用者によって入力部１０５から入力されると（入力処理２４０２）、入力された内容を示す情報である選択指示２４１４が計画実行部１８０９へ送信される。
【０３６７】
選択指示２４１４を受信した計画実行部１８０９は、選択指示２０１４に基づいて、複数のデマンド計画の中から１つのデマンド計画を選択し、選択したデマンド計画の内容に基づいてエネルギー消費機器が動作するように機器制御部１１０へ制御指示を送信する（計画実行処理２０２２）。
【０３６８】
機器制御部１１０は、受信した制御指示２２３に対応する制御信号２２５をそれぞれのエネルギー消費機器へ送信し、各エネルギー消費機器を制御する（機器制御処理２２４）。
【０３６９】
図２５Ａ、図２５Ｂ及び図２５Ｃのそれぞれは、本実施の形態における提示データが重畳された画像データ２４１７が、出力部１０８の液晶ディスプレイ５１１に出力された一例を示している。
【０３７０】
図２５Ａ〜図２５Ｃはそれぞれ異なるデマンド計画を選択した場合を示している。
【０３７１】
図２５Ａは、入力部１０５から入力された選択指示２４１５に基づき、デマンド計画選択部１９０１が「プラン１」の、機器構成を変更しないデマンド計画を選択した場合を示している。
【０３７２】
この場合の「プラン１」のデマンド計画では、エネルギー消費機器（エアコン）の冷房の設定温度を２８℃にすることになっており、それが現状と異なる。このために、エネルギー消費機器（エアコン）の提示データとして、エネルギー消費機器（エアコン）を視覚的に強調する画像データ２５０１と、「設定温度を２８℃に上げて下さい！」といったテキストデータ２５０２とが重畳されて表示される。
【０３７３】
また、図２５Ｂは、入力部１０５から入力された選択指示２４１５に基づき、デマンド計画選択部１９０１が、機器構成を変更する「プラン２」のデマンド計画を選択した場合を示している。
【０３７４】
この場合の「プラン２」のデマンド計画では、エネルギー消費機器（エアコン）を買い替えることになっている。このため、エネルギー消費機器（エアコン）の提示データとして、エネルギー消費機器（エアコン）を買い替えた場合の設置状況を示す画像データ２５１０と、エネルギー消費機器（エアコン）を視覚的に強調する画像データ２５１１と「エアコンを○○―□□□□に買い替えて下さい！」といった買い替えを促すテキストデータ２５１２とが重畳されて表示される。
【０３７５】
また、図２５Ｃは、入力部１０５から入力された選択指示２０１５に基づき、デマンド計画選択部１９０１が、機器構成を変更する「プラン３」のデマンド計画を選択した場合を示している。
【０３７６】
この場合の「プラン３」のデマンド計画では、エネルギー消費機器（熱交換器）を買い増しすることになっており、エネルギー消費機器（熱交換器）の提示データとして、エネルギー消費機器（熱交換器）を買い増しした場合の設置状況を示す画像データ２５２０と、エネルギー消費機器（熱交換器）を視覚的に強調する画像データ２５２１と「熱交換器△△―□□□□を購入して下さい！」といった買い増しを促すテキストデータ２５２２とが重畳されて表示される。
【０３７７】
このように、エネルギー消費機器の買い替えや買い増しも含めたデマンド計画が提示されるので、選択肢の幅が広がり、利用者は都合にあったデマンド計画を選択することができ、利用者の利便性が向上する。
【０３７８】
また、利用者にとって無理の少ないデマンド計画を選択できるので、特に自動制御の対象でないエネルギー消費機器のデマンド計画が利用者によって実施される可能性が向上し、デマンド制御要求の達成に繋がる。
【０３７９】
なお、利用者が、エネルギー消費機器の買い替えや、買い増しを行った場合、機器情報保持部１０３が保持する情報は更新される。
【０３８０】
エネルギー消費機器の買い替えや、買い増しが行われた場合、機器情報保持部１０３は、ネットワーク２２２０を介して新しいエネルギー消費機器のスペック情報と機器特徴情報とを取得して、機器情報保持部１０３が保持する情報を更新する。
【０３８１】
また、利用者が、エネルギー消費機器の買い替えや、買い増しを行った場合、提示データ生成部２３０２が保持する提示データの部品データも更新される。
【０３８２】
エネルギー消費機器の買い替えや、買い増しが行われた場合、提示データ生成部２３０２は、ネットワーク２２２０を介して新しいエネルギー消費機器の提示データの部品データを取得して、提示データ生成部２３０２が保持する提示データの部品データを更新する。
【０３８３】
なお、提示要否判定部３０１が、選択されたデマンド計画において、変更されるエネルギー消費機器に関する提示データを優先して要提示と判定するようにしてもよい。
【０３８４】
図２６は、この場合の提示要否判定部３０１による提示要否判定処理のフローチャートを示している。
【０３８５】
まず、提示要否判定部３０１は、機器特定情報をもとに画像データ２１２の中の特定されたエネルギー消費機器の機器数Ｎ（Ｎは０以上の整数）と、そのＮ台のエネルギー消費機器の内、選択されたデマンド計画において変更される機器の機器数Ｎｃ（Ｎｃは０以上の整数）をカウントする（ステップＳ３４０１）。
【０３８６】
次に、特定されたＮ台のエネルギー消費機器に関して、デマンド計画を実施した場合と、現状との差異を定量化する（ステップＳ４０２）。具体的には、デマンド計画が示す、それぞれのエネルギー消費機器に対する制御内容がある。デマンド制御要求がエネルギー消費量に関する制御要求であるケースでは、この制御内容の制御を実施した場合にエネルギー消費機器によって消費されるエネルギー量の推定値Ｅｐと、現状の動作状況の下で消費されているエネルギー量の実績値Ｅｒとの差異ΔＥ（＝Ｅｒ−Ｅｐ）を算出する。
【０３８７】
また、デマンド制御要求がＣＯ２排出量に関する制御要求であるケースでは、この制御内容の制御を実施した場合に、そのエネルギー消費機器によって消費されるエネルギー量に基づくＣＯ２排出量の推定値Ｅｐと、現状の動作状況の下で消費されているエネルギー量に基づくＣＯ２排出量の実績値Ｅｒとの差異ΔＥ（＝Ｅｒ−Ｅｐ）を算出する。
【０３８８】
また、デマンド制御要求がコストに関する制御要求であるケースでは、この制御内容の制御を実施した場合に、そのエネルギー消費機器によって消費されるエネルギー量に基づくコストの推定値Ｅｐと、現状の動作状況の下で消費されているエネルギー量に基づくコストの実績値Ｅｒとの差異ΔＥ（＝Ｅｒ−Ｅｐ）を算出する。
【０３８９】
次に、提示データの最大提示数Ｍ（Ｍは１以上の整数）と機器数Ｎを比較する（ステップＳ４０３）。
【０３９０】
Ｎ≦Ｍの場合には、画像データ２１２の中に特定されたエネルギー消費機器の数が最大提示数Ｍ以下であることから、画像データの中に特定されたＮ台のエネルギー消費機器に関する提示データを要提示と判定して提示要否判定処理を完了する（ステップＳ４０５）。
【０３９１】
また、Ｎ＞Ｍの場合には、さらに、提示データの最大提示数Ｍと変更される機器数Ｎｃを比較する（ステップＳ３４０３）。
【０３９２】
Ｎｃ≧Ｍの場合には、変更される機器の内、ステップＳ４０２で算出したデマンド計画と現状との差異ΔＥがより大きいエネルギー機器から順にＭ台のエネルギー消費機器を選択して要提示と判定して提示要否判定処理を完了する（ステップＳ３４０４）。
【０３９３】
また、Ｎｃ＜Ｍの場合には、まず、変更される機器であるＮｃ台のエネルギー消費機器を要提示と判定する（ステップＳ３４０５）。さらに、残りのＮ−Ｎｃ台の機器の内、ステップＳ４０２で算出したデマンド計画と現状との差異ΔＥが大きいエネルギー機器から順にＭ−Ｎｃ台のエネルギー消費機器を選択する。それらのＭ−Ｎｃ台のエネルギー消費機器に関する提示データを要提示と判定して提示要否判定処理を完了する（ステップＳ３４０６）。
【０３９４】
この場合、選択されたデマンド計画において、エネルギー消費機器が変更される場合には、エネルギー消費機器の買い替えを促すメッセージが優先的に利用者に対して提示されるようになる。
【０３９５】
（実施の形態８）
本実施の形態のエネルギーマネジメントシステムは、エネルギー消費機器が新しい動作モードで動作し、さらに、新しい提示データが重畳される点に特徴がある。
【０３９６】
本実施の形態では、次のデータ等が取得される。つまり、エネルギー消費機器への、低レベルのコマンドの組み合わせによって、エネルギー消費機器が新しい動作モードで動作するように制御する制御モジュールや、新しい動作モードに対応する新しい提示データを含むデータ（以下では「機器コンテンツ」と呼ぶ）が、ネットワークを介して取得される。このことで、エネルギー消費機器の新しい動作モードでの動作、および、新しい提示データの重畳を可能にする。
【０３９７】
ここで、新しい動作モードというのは、通常のエネルギー消費機器では使用できなかった動作モードであり、例えば、新しいアルゴリズムに基づく省エネ制御モードなどである。
【０３９８】
また、新しい提示データとは、新しい動作モードに対応するメッセージや画像データを利用者に提示する提示データであり、エネルギー消費機器をマネジメント部１００に接続しただけでは出力されないものである。
【０３９９】
本実施の形態の基本構成は実施の形態３と共通部分が多く、実施の形態３と共通する構成要素には適宜、同一の符号を付して図示並びに詳しい説明を省略する。
【０４００】
図２７は、本実施の形態のエネルギーマネジメントシステムのシステム構成を示している。
【０４０１】
本実施の形態では、さらに、各種のエネルギー消費機器の機器コンテンツを配信する機器コンテンツサーバ２６３１を備える。この機器コンテンツサーバ２６３１は、ネットワーク２２２０を介してマネジメント部１００に接続する。
【０４０２】
さらに、マネジメント部１００は、機器コンテンツサーバ２６３１からダウンロードした機器コンテンツを管理する機器コンテンツ管理部２６３０を備えている。
【０４０３】
図２８は、機器コンテンツ管理部２６３０の内部構成を示している。
【０４０４】
機器コンテンツ管理部２６３０は、機器コンテンツ保持部２７０１と、機器コンテンツ取得部２７０２と、機器コンテンツ選択部２７０３とを備える。
【０４０５】
機器コンテンツ保持部２７０１は、機器コンテンツ２７１１〜２７１ｋ（ｋは１以上の整数）を保持する。
【０４０６】
機器コンテンツ取得部２７０２は、機器コンテンツサーバ２６３１からネットワーク２２２０を介して機器コンテンツを取得して機器コンテンツ保持部２７０１に格納する。
【０４０７】
機器コンテンツ選択部２７０３は、機器コンテンツ保持部２７０１に保持されている機器コンテンツの中からエネルギー消費機器１５１〜１５ｎに適用する機器コンテンツを選択する。
【０４０８】
機器コンテンツは、エネルギー消費機器が新しい動作モードで動作するように制御する制御モジュール２７２１と、制御モジュール２７２１を用いて制御した場合の、エネルギー消費機器のスペック情報２７２２と、制御モジュール２７２１によって制御されるエネルギー消費機器の提示データの生成に用いられる提示アイテム２７２３とを備える。
【０４０９】
制御モジュール２７２１は、ソフトウェアプログラムであり、例えば、エネルギー消費機器への低レベルのコマンドを組み合わせることによって、エネルギー消費機器が新しい動作モードで動作するように制御する。
【０４１０】
スペック情報２７２２は、エネルギー消費機器を制御モジュール２７２１で制御した場合の新しい動作モードでのエネルギー消費に関する情報である。
【０４１１】
提示アイテム２７２３は、新しい動作モードに対応する新しい提示データの部品データであり、テキストメッセージのテンプレートや、画像データや音声データ、アニメーションデータなどが含まれる。
【０４１２】
機器コンテンツ取得部２７０２は、機器コンテンツサーバ２６３１からの機器コンテンツの取得を行う。この取得は、入力部１０５から入力される利用者の指示に基づいて行われる。また、この取得は、定期的に機器コンテンツサーバ２６３１にアクセスして、取得可能な機器コンテンツを取得する設定に基づいて行われる。また、この取得は、新しいエネルギー消費機器がマネジメント部１００に新たに接続されたということを示すイベント情報の受信に基づいて行われる。
【０４１３】
なお、機器コンテンツサーバ２６３１からの機器コンテンツを取得する際に、必要に応じて、機器コンテンツの売買契約や、機器コンテンツの使用契約などの認証が行われるようにしても良い。
【０４１４】
また、機器コンテンツは、ネットワーク２２２０上では、第３者に不正取得されないように、例えば暗号化された形態で伝送されることが望ましい。
【０４１５】
機器コンテンツ保持部２７０１には、複数の機器コンテンツが、対応するエネルギー消費機器の識別情報に紐付けられて保持される。
【０４１６】
１つのエネルギー消費機器に対して、複数の機器コンテンツが保持される場合もあれば、１つの機器コンテンツも保持されない場合もある。
【０４１７】
機器コンテンツ選択部２７０３は、エネルギー消費機器１５１〜１５ｎに適用する機器コンテンツの選択を行う。この選択は、入力部１０５から入力される利用者の指示に基づいて、または、デマンド計画生成部２６０６が生成するデマンド計画に基づいて、または、機器コンテンツの使用契約情報に基づいて、または、新しいエネルギー消費機器がマネジメント部１００に新たに接続されたということを示すイベント情報の受信に基づいて行われる。
【０４１８】
機器コンテンツ選択部２７０３は、選択した機器コンテンツに関し、計画実行部２６０９へ制御モジュール２７２１を、デマンド計画生成部２６０６へスペック情報２７２２を、スマート情報重畳部２６０７へ提示アイテム２７２３をそれぞれ送信する。
【０４１９】
なお、機器コンテンツが使用契約情報に基づいて選択される場合には、機器コンテンツが不正に選択されることがないように、例えば、機器コンテンツ保持部２７０１には、暗号化された状態で保持されていることが望ましい。
【０４２０】
例えば、機器コンテンツ選択部２７０３が、エネルギー消費機器１５ｉ（ｉは、１≦ｉ≦ｎの整数）に、機器コンテンツ２７１ｊ（ｊは、１≦ｊ≦ｋの整数）を選択した場合が考えられる。この場合、本実施の形態のデマンド計画生成部２６０６は、エネルギー消費機器１５ｉに関しては、機器コンテンツ２７１ｊのスペック情報２７２２を参照してデマンド計画を生成し、本実施の形態の計画実行部２６０９は、機器コンテンツ２７１ｊの制御モジュール２７２１を用いて、エネルギー消費機器１５ｉを制御し、本実施の形態のスマート情報重畳部２６０７は、機器コンテンツ２７１ｊの提示アイテム２７２３を用いてエネルギー消費機器１５ｉの提示データを生成する。
【０４２１】
図２９は、本実施の形態のエネルギーマネジメントシステムの動作を示すシーケンス図である。
【０４２２】
機器観測部１０１による機器観測処理２０１、および、入力部１０５への、デマンド制御要求の入力処理２０２から、機器スペック情報２０５がデマンド計画生成部２６０６に送信されるまでのシーケンス、および、カメラ部１０２による撮影処理２１１から、スマート情報重畳部１０７に特定情報付き画像データ２１５が送信されるまでのシーケンスは、実施の形態３と同じである。
【０４２３】
本実施の形態のエネルギーマネジメントシステムでは、機器コンテンツ管理部２６３０の機器コンテンツ取得部２７０２が機器コンテンツサーバ２６３１から機器コンテンツ２８０１を受信し、機器コンテンツ保持部２７０１に格納する（取得処理２８０２）。
【０４２４】
利用者によって入力部１０５から機器コンテンツの選択指示２８０３が入力されると（入力処理２８０２ｉ）、入力された選択指示２８０３は、機器コンテンツ管理部２６３０に送信される。
【０４２５】
機器コンテンツ管理部２６３０は、受信した選択指示２８０３に基づいて、機器コンテンツ選択部２７０３が機器コンテンツを選択し、選択した機器コンテンツの制御モジュール２８０４を計画実行部２６０９へ送信し、スペック情報２８０５をデマンド計画生成部２６０６へ送信し、提示アイテム２８０６をスマート情報重畳部２６０７へ送信する。
【０４２６】
デマンド計画生成部１０６は、機器コンテンツが適用されるエネルギー消費機器に関しては機器コンテンツ管理部２６３０から受信したスペック情報２８０５を参照し、さらに、機器コンテンツが適用されないエネルギー消費機器に関しては機器情報保持部１０３に保持されている機器スペック情報２０５を参照し、さらに、機器観測部１０１にアクセスしてメモリ領域に蓄積されている機器動作状態情報２０４を参照して、デマンド制御要求２０３を満たすデマンド計画を生成する（デマンド計画生成処理２８０６ｐ）。
【０４２７】
デマンド計画生成部２６０６は、生成したデマンド計画を含む提示情報２８０７をスマート情報重畳部２６０７へ送信し、生成したデマンド計画２８２１を計画実行部２６０９へ送信する。
【０４２８】
デマンド計画２８２１を受信した計画実行部２６０９は、機器コンテンツ管理部２６３０から受信した制御モジュール２８０４を用いて、デマンド計画２８２１の内容に基づいてエネルギー消費機器が動作するように機器制御部２６１０へ制御指示２８２３を送信する（計画実行処理２８２２）。
【０４２９】
機器制御部２６１０は、受信した制御指示２８２３に対応する制御信号２８２５をエネルギー消費機器へそれぞれ送信し、エネルギー消費機器を制御する（機器制御処理２８２４）。
【０４３０】
提示情報２８０７と特定情報付き画像データ２１５とを受信したスマート情報重畳部２６０７は、機器コンテンツ管理部２６３０から受信した提示アイテム２８０６を用いて、提示データを生成し、生成した提示データを画像データ２１５上のエネルギー消費機器の近傍に重畳する（スマート重畳処理２８１６）。
【０４３１】
スマート情報重畳部２６０７は、提示データが重畳された画像データ２８１７を出力部１０８へ送信し、出力部１０８は、提示データが重畳された画像データ２８１７を、液晶ディスプレイやスピーカを用いて出力する（出力処理２８１８）。
【０４３２】
なお、デマンド計画生成部１０６は、エネルギー消費機器１５１〜１５ｎへの機器コンテンツの適用の組み合わせについてもシミュレーションを行って、デマンド制御要求を満たす最適なデマンド計画を生成するようにしても良い。この場合、デマンド計画生成部２６０６は、機器コンテンツ選択部２７０３から、現在選択されている機器コンテンツ以外の機器コンテンツのスペック情報も受信して、シミュレーションを行う。
【０４３３】
この場合、結果的に、エネルギー消費機器に、現在選択されている機器コンテンツとは異なる機器コンテンツを適用することが、デマンド計画に含まれることもある。
【０４３４】
図３０Ａ、図３０Ｂ及び図３０Ｃのそれぞれは、本実施の形態における提示データが重畳された画像データ２８１７が、出力部１０８の液晶ディスプレイ５１１に出力された一例を示している。
【０４３５】
これら図３０Ａ、図３０Ｂ及び図３０Ｃは、それぞれ異なる機器コンテンツを選択した場合を示している。
【０４３６】
図３０Ａは、エネルギー消費機器（エアコン）に機器コンテンツを適用した場合の一例を示している。
【０４３７】
この場合の、エネルギー消費機器（エアコン）に適用された機器コンテンツは、「快適省エネモード」という新しい省エネモードでの動作するための制御モジュールを含んだ機器コンテンツである。
【０４３８】
液晶ディスプレイ５１１には、表示アプリケーションによって、エネルギー消費機器（エアコン）の提示データとして、エネルギー消費機器（エアコン）を視覚的に強調する、通常とは異なる画像データ２９０１や、「快適省エネ制御モードで運転しています！」といったテキストデータ２９０２、更には、固有のアイコン２９０３が重畳されて表示される。
【０４３９】
また、利用者が液晶ディスプレイ５１１と一体化されているタッチパネル上で、アイコン２９０３をタップすると、音声再生アプリケーションによって、「快適省エネ制御モードで運転しています！」という音声がスピーカ５１２から出力される。
【０４４０】
図３０Ｂは、さらに、エネルギー消費機器（テレビ）に機器コンテンツを適用した場合の一例を示している。
【０４４１】
この場合のエネルギー消費機器（テレビ）に適用された機器コンテンツは、「御子様省エネモード」という新しい子供向けの省エネモードで動作するための制御モジュールを含んだ機器コンテンツである。
【０４４２】
この場合の制御モジュールは、例えば、電源オン状態が一定時間以上続いた場合に自動的にエネルギー消費機器（テレビ）の電源をオフし、また、エネルギー消費機器（テレビ）のボリュームレベルを一定のレベル以下に抑える制御を行う。
【０４４３】
液晶ディスプレイ５１１には、表示アプリケーションによって、エネルギー消費機器（テレビ）の提示データとして、エネルギー消費機器（テレビ）を視覚的に強調する、通常とは異なる画像データ２９１１や、「ときどきテレビをおやすませてあげてね！」といったテキストデータ２９１２、更には、子供向けの固有のアイコン２９１３が重畳されて表示される。
【０４４４】
また、利用者が液晶ディスプレイ５１１と一体化されているタッチパネル上で、アイコン２９１３をタップすると、音声再生アプリケーションによって、「ときどきテレビをおやすみさせてあげてね！」という音声がスピーカ５１２から出力される。
【０４４５】
図３０Ｃは、エネルギー消費機器（照明）に機器コンテンツを適用した場合で、かつ、デマンド制御要求を満たすためには、エネルギー消費機器（エアコン）に、「快適省エネモード」の機器コンテンツの適用が必要な場合の一例を示している。
【０４４６】
この場合の、エネルギー消費機器（照明）に適用された機器コンテンツは、「時間帯省エネモード」という新しい省エネモードでの動作するための制御モジュールを含んだ機器コンテンツである。
【０４４７】
この場合の制御モジュールは、例えば、朝、昼、夕方、夜といった時間帯ごとに、照明の明るさのレベルを変える制御を行う。
【０４４８】
液晶ディスプレイ５１１には、表示アプリケーションによって、エネルギー消費機器（照明）の提示データとして、エネルギー消費機器（照明）を視覚的に強調する、通常とは異なる画像データ２９２１や、「今の時間帯は、明るさをレベル３にしています！」といったテキストデータ２９２２、更には、固有のアイコン２９２３が重畳されて表示される。
【０４４９】
また、エネルギー消費機器（エアコン）の提示データとして、エネルギー消費機器（エアコン）を視覚的に強調する画像データ５０１や、「快適省エネモードの機器コンテンツの適用をお勧めします！」といったテキストデータ２９２４が重畳されて表示される。
【０４５０】
また、利用者が液晶ディスプレイ５１１と一体化されているタッチパネル上で、アイコン２９２３をタップすると、音声再生アプリケーションによって、「今の時間帯は、明るさをレベル３にしています！」という音声がスピーカ５１２から出力される。
【０４５１】
また、利用者が、エネルギー消費機器（エアコン）をタップすると、音声再生アプリケーションによって、「快適省エネモードの機器コンテンツの適用をお勧めします！」という音声がスピーカ５１２から出力される。
【０４５２】
このように、機器コンテンツをエネルギー消費機器に適用することで、エネルギー消費機器が新しい省エネモードなどの新しい動作モードで動作するようになるので、デマンド制御要求を達成できる可能性が向上する。
【０４５３】
さらに、新しい動作モードに対応する新しい提示データが重畳されて提示されるので、エネルギー消費機器自体の、ＬＥＤや液晶画面等の表示は変わらなくても、新しい動作モードでのエネルギー消費機器の動作状況を利用者に提示することが出来る。
【０４５４】
なお、提示アイテムとして、例えば、映画俳優などの有名人や、アニメーションの登場人物などのキャラクタの画像データや動画データ、音声データを含めるようにしても良い。
【０４５５】
この場合、提示データとして、有名人やキャラクタの画像データや動画データ、音声データが重畳されて利用者に提示されるので、通常の提示データよりも利用者が興味を持つことで、提示データの視認性が向上する。
【０４５６】
（実施の形態９）
本実施の形態のエネルギーマネジメントシステムは、エネルギー消費機器の動作に同期して提示データを利用者に提示したり、提示データの利用者への提示に同期してエネルギー消費機器が動作したりする点に特徴がある。
【０４５７】
一般に、エネルギー消費機器の動作と、提示データが利用者へ提示されるタイミングがずれることで、利用者に違和感を与えることがあり、そのために、利用者が提示データに興味を持たなくなることがあった。
【０４５８】
エネルギー消費機器の動作と、提示データの利用者への提示とが同期して行われることにより、利用者に違和感を与えることが無くなり、利用者が提示データに興味を持つようになり、結果的に、提示データの視認性が向上する。
【０４５９】
本実施の形態の基本構成は実施の形態８と共通部分が多く、実施の形態８と共通する構成要素には適宜、同一の符号を付して図示並びに詳しい説明を省略する。
【０４６０】
図３１は、本実施の形態のエネルギーマネジメントシステムのシステム構成を示す図である。
【０４６１】
図３２は、本実施の形態の機器コンテンツ管理部３０３０の内部構成を示している図である。
【０４６２】
本実施の形態では、機器コンテンツ管理部３０３０と出力部３００８と機器制御部３０１０と以外は、実施の形態８と同じである。
【０４６３】
本実施の形態では、機器コンテンツ管理部３０３０は、さらに、出力部３００８と機器制御部３０１０の同期制御を行う同期制御部３１０５を備えている。
【０４６４】
機器コンテンツ管理部３０３０は、出力部３００８および機器制御部３０１０のそれぞれとの間で、同期制御情報を送受信する。これにより、機器コンテンツ管理部３０３０は、エネルギー消費機器の動作に同期して、出力部３００８から提示データが出力されるようにする。また、これにより、提示データの、利用者への提示に同期して、機器制御部３０１０によってエネルギー消費機器が制御されたりするようにする。
【０４６５】
同期制御情報には、エネルギー消費機器の識別情報と、同期させる動作を示す識別情報と、その動作を実行する時間情報とが含まれる。同期制御情報に含まれる時間情報は、絶対時間Ｔａ（Ｔａは「何時何分何秒」といった時刻を示す）の場合と、相対時間Ｔｒ（「何秒後」といった時間を示す）の場合とがある。
【０４６６】
出力部３００８は、同期制御部３１０５から、例えば、エネルギー消費機器の識別情報と、あるアニメーションの再生動作を示す識別情報と、絶対時間Ｔａとを含む同期制御情報を受信する。この情報を受信すると、そのエネルギー消費機器の提示データとして、そのアニメーションを重畳したデータを出力する動作を絶対時間Ｔａに行う。
【０４６７】
また、出力部３００８は、同期制御部３１０５から、例えば、エネルギー消費機器の識別情報と、あるアニメーションの再生動作を示す識別情報と、相対時間Ｔｒとを含む同期制御情報を受信する。この情報を受信すると、そのエネルギー消費機器の提示データとして、そのアニメーションを重畳したデータを出力する動作を相対時間Ｔｒ後に行う。
【０４６８】
機器制御部３０１０は、同期制御部３１０５から、例えば、エネルギー消費機器の識別情報と、エネルギー消費機器のある動作を示す識別情報と、絶対時間Ｔａとを含む同期制御情報を受信する。この情報を受信すると、そのエネルギー消費機器が、その動作を絶対時間Ｔａに行うようにエネルギー消費機器を制御する。
【０４６９】
また、機器制御部３０１０は、同期制御部３１０５から、例えば、エネルギー消費機器の識別情報と、エネルギー消費機器のある動作を示す識別情報と、相対時間Ｔｒとを含む同期制御情報を受信する。この情報を受信すると、そのエネルギー消費機器が、その動作を相対時間Ｔｒ後に行うようにエネルギー消費機器を制御する。
【０４７０】
図３３は、本実施の形態のエネルギーマネジメントシステムの動作を示すシーケンス図である。
【０４７１】
次の各シーケンスは、実施の形態８と同じである。つまり、機器観測部１０１による機器観測処理２０１、および、機器コンテンツ管理部３０３０による機器コンテンツ２８０１の取得処理２８０２から、選択された機器コンテンツの制御モジュール２８０４とスペック情報２８０５と提示アイテム２８０６とが、計画実行部２６０９とデマンド計画生成部２６０６とスマート情報重畳部２６０７とにそれぞれ送信されるまでのシーケンスは、実施の形態８と同じである。また、入力部１０５への、デマンド制御要求の入力処理２０２から、制御指示２８２３が機器制御部３０１０に送信されるまでのシーケンス、および、カメラ部１０２による撮影処理２１１から、出力部３００８に、提示データが重畳された画像データ２８１７が送信されるまでのシーケンスも、それぞれ、実施の形態８と同じである。
【０４７２】
本実施の形態のエネルギーマネジメントシステムでは、機器コンテンツ管理部３０３０の同期制御部３１０５が、同期制御処理３２００を行い、出力部３００８との間で同期制御情報３２０１を送受信し、また、機器制御部３０１０との間で同期制御情報３２０２を送受信する。
【０４７３】
出力部３００８は、受信した同期制御情報３２０１に基づいて、提示データが重畳された画像データ２８１７を、液晶ディスプレイやスピーカを用いて出力し（出力処理３２１８）、機器制御部３０１０は、受信した同期制御情報３２０２に基づいて、エネルギー消費機器を制御する（機器制御処理３２２４）。
【０４７４】
図３４Ａ、図３４Ｂのそれぞれは、本実施の形態におけるエネルギー消費機器の動作と、提示データの利用者への提示とが同期して行われる状態の一例を模式的に示している図である。
【０４７５】
図３４Ａは、エネルギー消費機器（エアコン）１５２の動作に同期して、エネルギー消費機器（エアコン）１５２の提示データが出力部３００８に出力されている状態を例示している。
【０４７６】
この場合、機器コンテンツにより、エネルギー消費機器（エアコン）１５２は、「健康省エネモード」という新しい省エネモードで動作している。
【０４７７】
液晶ディスプレイ５１１には、家の中のエネルギー消費機器（エアコン）１５２を撮影した画像データに、そのエネルギー消費機器（エアコン）１５２に関する提示データを重畳したデータが表示される。
【０４７８】
この場合、提示データとして、エネルギー消費機器（エアコン）１５２から出力される、除菌効果のある微粒子イオン３３０１や、「健康省エネモード」で動作していることを示す固有のアイコン３３０３、更には、エネルギー消費機器（エアコン）１５２から出力される風の流れ３３０２を示すアニメーションが重畳される。
【０４７９】
同期制御部３１０５から受信した同期制御情報に基づいて、出力部３００８が、提示データが重畳された画像データを出力する。この提示データが重畳された画像データは、家の中のエネルギー消費機器（エアコン）１５２を撮影した画像データに提示データが重畳された画像データである。同期制御情報に基づいて、この出力がされることで、実際のエネルギー消費機器（エアコン）１５２の風の向きに同期して、アニメーションが再生される。
【０４８０】
「健康省エネモード」においてエネルギー消費機器（エアコン）１５２から出力される微粒子イオン３３０１や風の流れ３３０２は、実際には目には見えないものであるが、この場合には、提示データによってそれらが可視化される。
【０４８１】
このように、実際のエネルギー消費機器（エアコン）１５２の動作に同期して提示データを利用者に提示することにより、利用者に違和感を与えることが無く、エネルギー消費機器（エアコン）１５２の動作状態を提示することができ、結果的に、利用者が提示データに興味を持つようになり、提示データの視認性が向上する。
【０４８２】
図３４Ｂは、提示データが重畳された画像データの、出力部への出力に同期して、エネルギー消費機器（エアコン）１５２が所定の動作を行っている状態を例示している。
【０４８３】
この場合、機器コンテンツにより、エネルギー消費機器（エアコン）１５２は、「快適省エネモード」という新しい省エネモードで動作している。
【０４８４】
液晶ディスプレイ５１１には、家の中のエネルギー消費機器（エアコン）１５２を撮影した画像データに、エネルギー消費機器（エアコン）１５２に関する提示データを重畳したデータが表示される。
【０４８５】
この場合、提示データとして、エネルギー消費機器（エアコン）１５２を視覚的に強調する、通常とは異なる画像データ２９０１や、「快適省エネ制御モードで運転しています！」といったテキストデータ２９０２、更には、固有のアイコン２９０３が重畳されて表示される。
【０４８６】
また、利用者が、液晶ディスプレイ５１１と一体化されているタッチパネル上で、アイコン２９０３をタップする。すると、音声再生アプリケーションが、「快適省エネ制御モードで運転しています！」という音声をスピーカ５１２から出力させ、同時に、エネルギー消費機器（エアコン）１５２のＬＥＤ（Light Emitting Diode）３３０１を点滅させる。
【０４８７】
この時、同期制御部３１０５から受信した同期制御情報に基づいて、機器制御部３０１０がエネルギー消費機器（エアコン）１５２へ、ＬＥＤ３３０１を点滅させる制御信号を送信する。それによって、スピーカ５１２からの音声出力に同期して、エネルギー消費機器（エアコン）１５２のＬＥＤ３３０１が点滅する。
【０４８８】
音声出力に同期してＬＥＤ３３０１が点滅することで、エネルギー消費機器（エアコン）１５２自身が言っているかのような印象を利用者に与えることが出来る。
【０４８９】
このように、提示データの利用者への提示に同期して、実際のエネルギー消費機器が動作することにより、利用者に違和感を与えることが無く、提示データの内容を提示することができ、結果的に、利用者が提示データに興味を持つようになり、提示データの視認性が向上する。
【０４９０】
（その他変形例）
なお、本発明を上記実施の形態に基づいて説明してきたが、本発明は、上記の実施の形態に限定されないのはもちろんである。以下のような場合も本発明に含まれる。
【０４９１】
（１）上記の各装置は、具体的には、マイクロプロセッサ、ＲＯＭ、ＲＡＭ、ハードディスクユニット、ディスプレイユニット、キーボード、マウスなどから構成されるコンピュータシステムである。前記ＲＡＭまたはハードディスクユニットには、コンピュータプログラムが記憶されている。前記マイクロプロセッサが、前記コンピュータプログラムにしたがって動作することにより、各装置は、その機能を達成する。ここでコンピュータプログラムは、所定の機能を達成するために、コンピュータに対する指令を示す命令コードが複数個組み合わされて構成されたものである。なお、各装置は、マイクロプロセッサ、ＲＯＭ、ＲＡＭ、ハードディスクユニット、ディスプレイユニット、キーボード、マウスなどの全てを含むコンピュータシステムには限らず、これらの一部から構成されているコンピュータシステムであってもよい。
【０４９２】
（２）上記の各装置を構成する構成要素の一部または全部は、１個のシステムＬＳＩ（Ｌａｒｇｅ  Ｓｃａｌｅ  Ｉｎｔｅｇｒａｔｉｏｎ：大規模集積回路）から構成されているとしてもよい。システムＬＳＩは、複数の構成部を１個のチップ上に集積して製造された超多機能ＬＳＩであり、具体的には、マイクロプロセッサ、ＲＯＭ、ＲＡＭなどを含んで構成されるコンピュータシステムである。前記ＲＡＭには、コンピュータプログラムが記憶されている。前記マイクロプロセッサが、前記コンピュータプログラムにしたがって動作することにより、システムＬＳＩは、その機能を達成する。
【０４９３】
また、上記の各装置を構成する構成要素の各部は、個別に１チップ化されていても良いし、一部又は全てを含むように１チップ化されてもよい。
【０４９４】
また、ここでは、システムＬＳＩとしたが、集積度の違いにより、ＩＣ、ＬＳＩ、スーパーＬＳＩ、ウルトラＬＳＩと呼称されることもある。また、集積回路化の手法はＬＳＩに限るものではなく、専用回路又は汎用プロセッサで実現してもよい。ＬＳＩ製造後に、プログラムすることが可能なＦＰＧＡ（Ｆｉｅｌｄ  Ｐｒｏｇｒａｍｍａｂｌｅ  Ｇａｔｅ  Ａｒｒａｙ）や、ＬＳＩ内部の回路セルの接続や設定を再構成可能なリコンフィギュラブル・プロセッサーを利用しても良い。
【０４９５】
さらには、半導体技術の進歩又は派生する別技術によりＬＳＩに置き換わる集積回路化の技術が登場すれば、当然、その技術を用いて機能ブロックの集積化を行ってもよい。バイオ技術の適用等が可能性としてありえる。
【０４９６】
（３）上記の各装置を構成する構成要素の一部または全部は、各装置に脱着可能なＩＣカードまたは単体のモジュールから構成されているとしてもよい。前記ＩＣカードまたは前記モジュールは、マイクロプロセッサ、ＲＯＭ、ＲＡＭなどから構成されるコンピュータシステムである。前記ＩＣカードまたは前記モジュールは、上記の超多機能ＬＳＩを含むとしてもよい。マイクロプロセッサが、コンピュータプログラムにしたがって動作することにより、前記ＩＣカードまたは前記モジュールは、その機能を達成する。このＩＣカードまたはこのモジュールは、耐タンパ性を有するとしてもよい。
【０４９７】
（４）本発明は、上記に示す方法であるとしてもよい。また、これらの方法をコンピュータにより実現するコンピュータプログラムであるとしてもよいし、前記コンピュータプログラムからなるデジタル信号であるとしてもよい。
【０４９８】
また、本発明は、前記コンピュータプログラムまたは前記デジタル信号をコンピュータ読み取り可能な記録媒体、例えば、フレキシブルディスク、ハードディスク、ＣＤ−ＲＯＭ、ＭＯ、ＤＶＤ、ＤＶＤ−ＲＯＭ、ＤＶＤ−ＲＡＭ、ＢＤ（Ｂｌｕ−ｒａｙ  Ｄｉｓｃ）、半導体メモリなどに記録したものとしてもよい。また、これらの記録媒体に記録されている前記デジタル信号であるとしてもよい。
【０４９９】
また、本発明は、前記コンピュータプログラムまたは前記デジタル信号を、電気通信回線、無線または有線通信回線、インターネットを代表とするネットワーク、データ放送等を経由して伝送するものとしてもよい。
【０５００】
また、本発明は、マイクロプロセッサとメモリを備えたコンピュータシステムであって、前記メモリは、上記コンピュータプログラムを記憶しており、前記マイクロプロセッサは、前記コンピュータプログラムにしたがって動作するとしてもよい。
【０５０１】
また、前記プログラムまたは前記デジタル信号を前記記録媒体に記録して移送することにより、または前記プログラムまたは前記デジタル信号を前記ネットワーク等を経由して移送することにより、独立した他のコンピュータシステムにより実施するとしてもよい。
【０５０２】
（５）上記実施の形態及び上記変形例をそれぞれ組み合わせるとしてもよい。
【０５０３】
なお、上記各実施の形態において、各構成要素は、専用のハードウェアで構成されるか、各構成要素に適したソフトウェアプログラムを実行することによって実現されてもよい。各構成要素は、ＣＰＵまたはプロセッサなどのプログラム実行部が、ハードディスクまたは半導体メモリなどの記録媒体に記録されたソフトウェアプログラムを読み出して実行することによって実現されてもよい。ここで、上記各実施の形態の制御情報表示装置などを実現するソフトウェアは、次のようなプログラムである。
【０５０４】
すなわち、このプログラムは、コンピュータに、建物に設けられたエネルギーを消費する機器に関する制御情報であって、前記建物における制御要求を満たすための制御情報を取得する第１の取得ステップと、前記機器が映し出された画像データを取得する第２の取得ステップと、前記第２の取得ステップで取得した前記画像データを保持する画像データ保持ステップと、指定された制御モードに基づいて、前記画像データ保持ステップで保持した前記画像データを含む選択候補の中から提示画像データを選択する選択ステップと、前記選択ステップで選択された前記提示画像データに映し出された前記機器のそれぞれに対応する前記制御情報を利用者に提示するための提示データを生成し、前記提示画像データにおける前記機器の位置の近傍に、前記提示データを重畳する画像処理ステップと、前記提示データが重畳された前記提示画像データを表示する表示ステップと、を含む制御情報表示方法を実行させる。
【０５０５】
以上、一つまたは複数の態様に係る制御情報表示装置について、実施の形態に基づいて説明したが、本発明は、この実施の形態に限定されるものではない。本発明の趣旨を逸脱しない限り、当業者が思いつく各種変形を本実施の形態に施したものや、異なる実施の形態における構成要素を組み合わせて構築される形態も、一つまたは複数の態様の範囲内に含まれてもよい。
【産業上の利用可能性】
【０５０６】
本実施の形態によれば、家の中の全ての機器（通信機能を備えていない機器を含む）に関する情報の、利用者への提示と、通信機能を備えた機器に対する制御とにより省エネルギー化を実現するエネルギー制御装置とエネルギー制御方法、および、エネルギー制御システムを提供できる。
【符号の説明】
【０５０７】
１００  マネジメント部
１０１  機器観測部
１０２  カメラ部
１０２ｘ  取得部
１０２ｙ、１５０４    画像データ保持部
１０２ｚ  選択部
１０３  機器情報保持部
１０４  機器特定部
１０５  入力部
１０６、１８０６、２２０６、２６０６    デマンド計画生成部
１０７、１８０７、２２０７、２６０７    スマート情報重畳部
１０７ｘ  画像処理部
１０８、３００８    出力部
１０９、１８０９、２６０９    計画実行部
１１０、２６１０、３０１０    機器制御部
１５１〜１５ｎ  エネルギー消費機器
３０１  提示要否判定部
３０２、２３０２    提示データ生成部
３０３  重畳処理部
１４０１    ホーム・マネジメント部
１４０２    モバイル・マネジメント部
１４０３    サーバ・マネジメント部
１４１１、１４１２、１４１３    通信部
１５０５    切替部
１９０１    デマンド計画選択部
２６３０、３０３０    機器コンテンツ管理部
２７０１    機器コンテンツ保持部
２７０２    機器コンテンツ取得部
２７０３    機器コンテンツ選択部
３１０５    同期制御部
【図１】
2013128934.tif 000003
【図２】
2013128934.tif 000004
【図３】
2013128934.tif 000005
【図４】
2013128934.tif 000006
【図５】
2013128934.tif 000007
【図６】
2013128934.tif 000008
【図７】
2013128934.tif 000009
【図８】
2013128934.tif 000010
【図９】
2013128934.tif 000011
【図１０】
2013128934.tif 000012
【図１１】
2013128934.tif 000013
【図１２Ａ】
2013128934.tif 000014
【図１２Ｂ】
2013128934.tif 000015
【図１２Ｃ】
2013128934.tif 000016
【図１３】
2013128934.tif 000017
【図１４】
2013128934.tif 000018
【図１５】
2013128934.tif 000019
【図１６】
2013128934.tif 000020
【図１７Ａ】
2013128934.tif 000021
【図１７Ｂ】
2013128934.tif 000022
【図１７Ｃ】
2013128934.tif 000023
【図１８】
2013128934.tif 000024
【図１９】
2013128934.tif 000025
【図２０】
2013128934.tif 000026
【図２１Ａ】
2013128934.tif 000027
【図２１Ｂ】
2013128934.tif 000028
【図２１Ｃ】
2013128934.tif 000029
【図２２】
2013128934.tif 000030
【図２３】
2013128934.tif 000031
【図２４】
2013128934.tif 000032
【図２５Ａ】
2013128934.tif 000033
【図２５Ｂ】
2013128934.tif 000034
【図２５Ｃ】
2013128934.tif 000035
【図２６】
2013128934.tif 000036
【図２７】
2013128934.tif 000037
【図２８】
2013128934.tif 000038
【図２９】
2013128934.tif 000039
【図３０Ａ】
2013128934.tif 000040
【図３０Ｂ】
2013128934.tif 000041
【図３０Ｃ】
2013128934.tif 000042
【図３１】
2013128934.tif 000043
【図３２】
2013128934.tif 000044
【図３３】
2013128934.tif 000045
【図３４Ａ】
2013128934.tif 000046
【図３４Ｂ】
2013128934.tif 000047
【図３５】
2013128934.tif 000048
【国際調査報告】
2013128934.tif 000049
2013128934.tif 000050
2013128934.tif 000051
2013128934.tif 000052